(57)【要約】      （修正有）【課題】タグ装置に表示されるラベル表示の一部を書き換えることができる通信装置、タグ装置および情報通信システムを提供すること。【解決手段】リーダ・ライタ装置３０は、変更する文字列が入力されるか、変更する場所がテンプレートにより指定されるか、若しくは変更する場所に該当する文字列が指定されると、変更後の文字列、テンプレートの指定された場所へ設定される変更後の文字列を操作者に入力させてタグデータを作成し、変更入力編集データメモリ４８ｃに記憶すると共に、そのタグデータを、無線タグ装置１０に送信する。これにより、無線タグ装置１０は、タグ装置用ディスプレイ１２に表示される文字列の一部を変更できる。また終了が選択されない場合には、各無線タグ装置１０にリーダ・ライタ装置３０を順次近づけるだけで、リーダ・ライタ装置３０は、タグ装置用ディスプレイ１２に表示される文字列の一部を簡単に変更することができる。【選択図】図２
2009025966.tif 000002
【特許請求の範囲】
【請求項１】
表示情報を表示するタグ側表示手段を有するタグ装置と通信可能に構成された通信装置において、
前記タグ側表示手段に表示される表示情報の一部を指定する指定情報の入力を受け付ける指定情報受付手段と、
その指定情報受付手段により指定情報として指定された表示情報と変更する他の表示情報である変更表示情報の入力を受け付ける変更表示情報受付手段と、
前記指定情報受付手段により受け付けた前記指定情報と、前記変更表示情報受付手段により受け付けた前記変更表示情報とを前記タグ装置に送信する第１送信手段とを備えていることを特徴とする通信装置。
【請求項２】
所定の配置パターンで配置した複数の表示領域に分割して表示情報を表示するタグ装置と通信する通信装置であって、
前記指定情報受付手段は、前記複数の表示領域のうちいずれの配置位置の表示領域かを識別する配置位置識別情報を前記指定情報として受け付けるものであり、
前記第１送信手段は、前記配置位置識別情報と前記変更表示情報とを前記タグ装置に送信するものであることを特徴とする請求項１記載の通信装置。
【請求項３】
前記配置パターンを識別するテンプレート識別情報を前記タグ装置から取得するテンプレート識別情報取得手段を備え、
前記指定情報受付手段は、
前記テンプレート識別情報と、前記配置位置識別情報とを前記指定情報として受け付けるものであり、
前記第１送信手段は、
前記テンプレート識別情報取得手段により取得した前記テンプレート識別情報が前記指定情報受付手段により受け付けた前記テンプレート識別情報と同一の場合には、前記配置位置識別情報と前記変更表示情報とを前記タグ装置に送信し、
前記テンプレート識別情報取得手段により取得した前記テンプレート識別情報と前記指定情報受付手段により受け付けた前記テンプレート識別情報とが異なる場合には、前記配置位置識別情報と前記変更表示情報とを前記タグ装置に送信しないことを特徴とする請求項２記載の通信装置。
【請求項４】
前記指定情報受付手段は、
前記テンプレート識別情報と、前記配置位置識別情報とを前記指定情報として受け付けるものであり、
前記テンプレート識別情報と、そのテンプレート識別情報に対応する複数の配置位置識別情報とを外部装置から取得するテンプレート取得手段と、
そのテンプレート取得手段により取得した前記複数の配置位置識別情報の中から選択される１または複数の配置位置識別情報の選択を受け付ける配置位置選択手段とを備え、
前記テンプレート取得手段により取得した前記テンプレート識別情報と、前記配置位置選択手段により受け付けた前記配置位置識別情報とを前記指定情報として受け付けるものであることを特徴とする請求項２または３に記載の通信装置。
【請求項５】
前記指定情報受付手段は、入力された表示情報を前記指定情報として受け付けるものであり、
前記第１送信手段は、前記指定情報受付手段により受け付けた表示情報である指定表示情報と、前記変更表示情報とを前記タグ装置に送信するものであることを特徴とする請求項１記載の通信装置。
【請求項６】
前記タグ装置からそのタグ装置の表示情報を取得する第１表示情報取得手段を備え、
前記第１送信手段は、
前記第１表示情報取得手段により取得した情報である第１取得表示情報に、前記指定情報受付手段により受け付けた前記指定表示情報が含まれる場合には、前記指定表示情報と前記変更表示情報とを前記タグ装置に送信し、
前記第１表示情報取得手段により取得した情報である第１取得表示情報に、前記指定情報受付手段により受け付けた前記指定表示情報が含まれない場合には、前記指定表示情報と前記変更表示情報とを前記タグ装置に送信しないことを特徴とする請求項４記載の通信装置。
【請求項７】
前記指定情報受付手段は、
入力された表示情報を前記指定情報として受け付けるものであり、
前記表示情報を外部装置から取得する第２表示情報取得手段と、
その第２表示情報取得手段により取得した第２取得表示情報の中から一部の表示情報の選択を選択表示情報として受け付ける表示情報選択手段とを備え、
その表示情報選択手段により受け付けた前記選択表示情報を前記指定情報として受け付けるものであることを特徴とする請求項５または６に記載の通信装置。
【請求項８】
前記表示領域に日時を表示する日時表示領域が設けられているか否かを判定する日時表示領域判定手段と、
現在の日時を取得する日時取得手段と、
前記日時表示領域判定手段により、前記表示領域に日時表示領域が設けられていると判定された場合に、前記変更表示情報受付手段により変更表示情報を受け付けた日時を前記日時取得手段により取得して、その取得した日時を前記日時領域に設定する日時設定手段を備えていることを特徴とする請求項２から７のいずれかに記載の通信装置。
【請求項９】
前記第１送信手段は、前記指定情報受付手段により受け付けた前記指定情報と、前記変更表示情報受付手段により受け付けた前記変更表示情報との送信を別のタグ装置へ継続して繰返し実行することを特徴とする請求項１記載の通信装置。
【請求項１０】
表示情報を表示するタグ側表示手段を有するタグ装置と通信可能に構成された通信装置において、
前記タグ側表示手段に表示される表示情報の一部を指定する指定情報の入力を受け付ける指定情報受付手段と、
その指定情報受付手段により指定情報として指定された表示情報と変更する他の表示情報である変更表示情報の入力を受け付ける変更表示情報受付手段と、
前記指定情報受付手段により受け付けた前記指定情報と、前記変更表示情報受付手段により受け付けた前記変更表示情報とに基づいて、前記表示情報のうち前記指定情報を前記変更表示情報に変更した送信表示情報を作成する変更手段と、
その変更手段により作成した送信表示情報を前記タグ装置に送信する第２送信手段とを備えていることを特徴とする通信装置。
【請求項１１】
所定の配置パターンで配置した複数の表示領域に分割して表示情報を表示するタグ装置と通信する通信装置であって、
前記指定情報受付手段は、前記複数の表示領域のうちいずれの配置位置の表示領域かを識別する配置位置識別情報を前記指定情報として受け付けるものであり、
前記変更手段は、前記指定情報受付手段により受け付けた前記配置位置識別情報と、前記変更表示情報受付手段により受け付けた前記変更表示情報とに基づいて、前記表示情報のうち前記配置位置識別情報を前記変更表示情報に変更した送信表示情報を作成するものであることを特徴とする請求項１０記載の通信装置。
【請求項１２】
前記配置パターンを識別するテンプレート識別情報を前記タグ装置から取得するテンプレート識別情報取得手段を備え、
前記指定情報受付手段は、
前記テンプレート識別情報と、前記配置位置識別情報とを前記指定情報として受け付けるものであり、
前記第２送信手段は、
前記テンプレート識別情報取得手段により取得した前記テンプレート識別情報が前記指定情報受付手段により受け付けた前記テンプレート識別情報と同一の場合には、前記変更手段により前記配置位置識別情報が前記変更表示情報に変更された送信表示情報を前記タグ装置に送信し、
前記テンプレート識別情報取得手段により取得した前記テンプレート識別情報と前記指定情報受付手段により受け付けた前記テンプレート識別情報とが異なる場合には、前記変更手段により前記配置位置識別情報が前記変更表示情報に変更された送信表示情報を前記タグ装置に送信しないことを特徴とする請求項１１記載の通信装置。
【請求項１３】
前記指定情報受付手段は、
前記テンプレート識別情報と、前記配置位置識別情報とを前記指定情報として受け付けるものであり、
前記テンプレート識別情報と、そのテンプレート識別情報に対応する複数の配置位置識別情報とを外部装置から取得するテンプレート取得手段と、
そのテンプレート取得手段により取得した前記複数の配置位置識別情報の中から選択される１または複数の配置位置識別情報の選択を受け付ける配置位置選択手段とを備え、
前記テンプレート取得手段により取得した前記テンプレート識別情報と、前記配置位置選択手段により受け付けた前記配置位置識別情報とを前記指定情報として受け付けるものであることを特徴とする請求項１１または１２に記載の通信装置。
【請求項１４】
前記指定情報受付手段は、入力された表示情報を前記指定情報として受け付けるものであり、
前記変更手段は、前記指定情報受付手段により受け付けた表示情報である指定表示情報と、前記変更表示情報とに基づいて、前記表示情報のうち前記指定情報を前記変更表示情報に変更した送信表示情報を作成するものであることを特徴とする請求項１０記載の通信装置。
【請求項１５】
前記タグ装置からそのタグ装置の表示情報を取得する第１表示情報取得手段を備え、
前記第２送信手段は、
前記第１表示情報取得手段により取得した情報である第１取得表示情報に、前記指定情報受付手段により受け付けた前記指定表示情報が含まれる場合には、前記変更手段により前記指定表示情報が前記変更表示情報に変更された送信表示情報を前記タグ装置に送信し、
前記第１表示情報取得手段により取得した情報である第１取得表示情報に、前記指定情報受付手段により受け付けた前記指定表示情報が含まれない場合には、前記変更手段により前記指定表示情報が前記変更表示情報に変更された送信表示情報を前記タグ装置に送信しないことを特徴とする請求項１３記載の通信装置。
【請求項１６】
前記指定情報受付手段は、
入力された表示情報を前記指定情報として受け付けるものであり、
前記表示情報を外部装置から取得する第２表示情報取得手段と、
その第２表示情報取得手段により取得した第２取得表示情報の中から一部の表示情報の選択を選択表示情報として受け付ける表示情報選択手段とを備え、
その表示情報選択手段により受け付けた前記選択表示情報を前記指定情報として受け付けるものであることを特徴とする請求項１４または１５に記載の通信装置。
【請求項１７】
前記表示領域に日時を表示する日時表示領域が設けられているか否かを判定する日時表示領域判定手段と、
現在の日時を取得する日時取得手段と、
前記日時表示領域判定手段により、前記表示領域に日時表示領域が設けられていると判定された場合に、前記変更表示情報受付手段により変更表示情報を受け付けた日時を前記日時取得手段により取得して、その取得した日時を前記日時領域に設定する日時設定手段を備えていることを特徴とする請求項１１から１６のいずれかに記載の通信装置。
【請求項１８】
前記第２送信手段は、前記送信表示情報の送信を別のタグ装置へ継続して繰返し実行することを特徴とする請求項１０に記載の通信装置。
【請求項１９】
前記タグ装置の表示情報を表示する通信側表示手段を備え、
前記タグ装置のタグ側表示手段に表示される表示情報の一部を指定する指定情報の入力が前記指定情報受付手段に受け付けられた場合に、その受け付けられた指定情報を前記通信側表示手段に強調して表示させる強調表示手段を備えていることを特徴とする請求項１から１８のいずれかに記載の通信装置。
【請求項２０】
前記タグ装置の各々には、タグ側表示手段に表示される表示情報の変更を許可する識別情報が付与されており、
前記各タグ装置に付与された識別情報を受信する識別情報受信手段と、
前記各タグ装置に付与された識別情報を受け付ける識別情報受付手段と、
前記識別情報受信手段が受信した識別情報と前記識別情報受付手段により受け付けられた識別情報とが一致した場合に、前記第１送信手段または第２送信手段による送信を許可する送信許可手段とを備えていることを特徴とする請求項１から１９のいずれかに記載の通信装置。
【請求項２１】
前記識別情報受信手段は、前記タグ装置の各々に付与された識別情報が記憶された外部装置またはタグ装置から、前記送信許可手段が用いる識別情報を受信するものであることを特徴とする請求項１から２０のいずれかに記載の通信装置。
【請求項２２】
前記タグ装置のタグ側表示手段に表示される表示情報の変更を禁止するライトプロテクトを設定するライトプロテクト設定手段を備えていることを特徴とする請求項１から２１のいずれかに記載の通信装置。
【請求項２３】
前記タグ側表示手段に表示される表示情報を記憶するタグ用記憶手段と、
請求項１から９のいずれかに記載の通信装置および請求項１９から２２のいずれかに記載の通信装置から送信される前記指定情報と前記変更表示情報とを受信するタグ用受信手段と、
そのタグ用受信手段により受信された前記指定情報と前記変更表示情報とに基づいて、前記表示情報のうち前記指定情報を前記変更表示情報に変更した改定表示情報を作成するタグ用変更手段と、
そのタグ用変更手段により作成した改定表示情報を表示情報としてタグ用記憶手段に記憶させると共に、前記タグ側表示手段に表示させるタグ用制御手段とを備えていることを特徴とするタグ装置。
【請求項２４】
前記タグ側表示手段に表示する表示情報を記憶する第２タグ用記憶手段と、
請求項１０から２２のいずれかに記載の通信装置から送信される送信表示情報を受信する第２タグ用受信手段と、
その第２タグ用受信手段により受信された送信表示情報を表示情報として第２タグ用記憶手段に記憶させると共に、前記タグ側表示手段に表示させる第２タグ用制御手段とを備えていることを特徴とするタグ装置。
【請求項２５】
請求項１から９のいずれかに記載の通信装置および請求項１９から２２のいずれかに記載の通信装置と請求項２３記載のタグ装置とを備えていることを特徴とする情報通信システム。
【請求項２６】
請求項１０から２２のいずれかに記載の通信装置と請求項２４記載のタグ装置とを備えていることを特徴とする情報通信システム。
【発明の詳細な説明】
【技術分野】
【０００１】
本発明は通信装置、タグ装置および情報通信システムに関し、特に、タグ装置に表示されるラベル表示の一部を書換えることができる通信装置、タグ装置および情報通信システムに関するものである。
【背景技術】
【０００２】
タグ装置の表示手段に表示させる文字または記号等を通信装置を用いて入力し、その入力された文字又は記号等を通信装置からタグ装置に送信し、その送信された文字または記号等をタグ装置の表示手段に表示させる通信システムに関しては、例えば、特許文献１記載の非接触情報通信システム１が知られている。
【０００３】
この非接触情報通信システム１は、リーダ・ライタ装置２と複数の非接触識別タグ３とから構成されている。そして、例えば、販売する商品４にそれぞれ取り付けられた非接触識別タグ３に書き込むための情報である設定情報を、リーダ・ライタ装置２の操作部２ｄにおいて設定する。この設定が終わると、リーダ・ライタ装置２の情報送信部２ｂを介して、それぞれの非接触識別タグ３に応答要求信号を送信し、その後に設定情報を送信する。
【０００４】
一方、非接触識別タグ３は、リーダ・ライタ装置２からの応答要求信号を受信すると、電源生成部３８において、送信された応答要求信号の搬送波から駆動電力を生成し、その駆動電力を非接触識別タグ３の各部に供給する。そして、駆動電力が供給された情報制御部３２の制御によって、リーダ・ライタ装置２から応答要求信号送信後に送信される設定情報を、情報受信部３０を介して受信し、情報記憶部３３によって不揮発性のメモリに記憶する。
【０００５】
更に、不揮発性のメモリに記憶された設定情報に基づき表示処理部３６によって、電気泳動表示装置３７に、例えば、商品の種類、商品の仕入先、商品の仕入れ日等を文字画像でそれぞれ表示する。最後に、非接触識別タグ３は、これら一連の処理が実行された旨を示す応答信号を情報送信部３１を介してリーダ・ライタ装置２に送信する。
【０００６】
この非接触情報通信システム１においては、非接触識別タグ３の電気泳動表示装置３７の表示を設定する設定情報を、リーダ・ライタ装置２を用いて書換えることができるので、非接触識別タグ３の電気泳動表示装置３７の表示を容易に変更することができる。
【特許文献１】特開２００５−１６５６２１号公報
【発明の開示】
【発明が解決しようとする課題】
【０００７】
しかしながら、上述した非接触情報通信システム１では、非接触識別タグ３の電気詠動表示装置３７の表示を設定する設定情報は、その設定情報の全てを他の情報に変更することはできても、設定情報の一部を変更することはできないので、非接触識別タグ３の電気泳動表示装置３７の表示の一部分に変更が必要になった場合においても、電気泳動表示装置３７に表示する設定情報を全て書き換えなければならないという問題点があった。
【０００８】
本発明は、上述した問題点を解決するためになされたものであり、タグ装置に表示されるラベル表示の一部を書換えることができる通信装置、タグ装置および情報通信システムを提供することを目的としている。
【課題を解決するための手段】
【０００９】
この目的を達成するために請求項１記載の通信装置は、表示情報を表示するタグ側表示手段を有するタグ装置と通信可能に構成されたものであり、前記タグ側表示手段に表示される表示情報の一部を指定する指定情報の入力を受け付ける指定情報受付手段と、その指定情報受付手段により指定情報として指定された表示情報と変更する他の表示情報である変更表示情報の入力を受け付ける変更表示情報受付手段と、前記指定情報受付手段により受け付けた前記指定情報と、前記変更表示情報受付手段により受け付けた前記変更表示情報とを前記タグ装置に送信する第１送信手段とを備えている。
【００１０】
請求項２記載の通信装置は、請求項１記載の通信装置において、所定の配置パターンで配置した複数の表示領域に分割して表示情報を表示するタグ装置と通信するものであり、前記指定情報受付手段は、前記複数の表示領域のうちいずれの配置位置の表示領域かを識別する配置位置識別情報を前記指定情報として受け付けるものであり、前記第１送信手段は、前記配置位置識別情報と前記変更表示情報とを前記タグ装置に送信するものである。
【００１１】
請求項３記載の通信装置は、請求項２記載の通信装置において、前記配置パターンを識別するテンプレート識別情報を前記タグ装置から取得するテンプレート識別情報取得手段を備え、前記指定情報受付手段は、前記テンプレート識別情報と、前記配置位置識別情報とを前記指定情報として受け付けるものであり、前記第１送信手段は、前記テンプレート識別情報取得手段により取得した前記テンプレート識別情報が前記指定情報受付手段により受け付けた前記テンプレート識別情報と同一の場合には、前記配置位置識別情報と前記変更表示情報とを前記タグ装置に送信し、前記テンプレート識別情報取得手段により取得した前記テンプレート識別情報と前記指定情報受付手段により受け付けた前記テンプレート識別情報とが異なる場合には、前記配置位置識別情報と前記変更表示情報とを前記タグ装置に送信しないものである。
【００１２】
請求項４記載の通信装置は、請求項２または３に記載の通信装置において、前記指定情報受付手段は、前記テンプレート識別情報と、前記配置位置識別情報とを前記指定情報として受け付けるものであり、前記テンプレート識別情報と、そのテンプレート識別情報に対応する複数の配置位置識別情報とを外部装置から取得するテンプレート取得手段と、そのテンプレート取得手段により取得した前記複数の配置位置識別情報の中から選択される１または複数の配置位置識別情報の選択を受け付ける配置位置選択手段とを備え、前記テンプレート取得手段により取得した前記テンプレート識別情報と、前記配置位置選択手段により受け付けた前記配置位置識別情報とを前記指定情報として受け付けるものである。
【００１３】
請求項５記載の通信装置は、請求項１記載の通信装置において、前記指定情報受付手段は、入力された表示情報を前記指定情報として受け付けるものであり、前記第１送信手段は、前記指定情報受付手段により受け付けた表示情報である指定表示情報と、前記変更表示情報とを前記タグ装置に送信するものである。
【００１４】
請求項６記載の通信装置は、請求項４記載の通信装置において、前記タグ装置からそのタグ装置の表示情報を取得する第１表示情報取得手段を備え、前記第１送信手段は、前記第１表示情報取得手段により取得した情報である第１取得表示情報に、前記指定情報受付手段により受け付けた前記指定表示情報が含まれる場合には、前記指定表示情報と前記変更表示情報とを前記タグ装置に送信し、前記第１表示情報取得手段により取得した情報である第１取得表示情報に、前記指定情報受付手段により受け付けた前記指定表示情報が含まれない場合には、前記指定表示情報と前記変更表示情報とを前記タグ装置に送信しないものである。
【００１５】
請求項７記載の通信装置は、請求項５または６に記載の通信装置において、前記指定情報受付手段は、入力された表示情報を前記指定情報として受け付けるものであり、前記表示情報を外部装置から取得する第２表示情報取得手段と、その第２表示情報取得手段により取得した第２取得表示情報の中から一部の表示情報の選択を選択表示情報として受け付ける表示情報選択手段とを備え、その表示情報選択手段により受け付けた前記選択表示情報を前記指定情報として受け付けるものである。
【００１６】
請求項８記載の通信装置は、請求項２から７のいずれかに記載の通信装置において、前記表示領域に日時を表示する日時表示領域が設けられているか否かを判定する日時表示領域判定手段と、現在の日時を取得する日時取得手段と、前記日時表示領域判定手段により、前記表示領域に日時表示領域が設けられていると判定された場合に、前記変更表示情報受付手段により変更表示情報を受け付けた日時を前記日時取得手段により取得して、その取得した日時を前記日時領域に設定する日時設定手段を備えている。
【００１７】
請求項９記載の通信装置は、請求項１記載の通信装置において、前記第１送信手段は、前記指定情報受付手段により受け付けた前記指定情報と、前記変更表示情報受付手段により受け付けた前記変更表示情報との送信を別のタグ装置へ継続して繰返し実行するものである。
【００１８】
請求項１０記載の通信装置は、表示情報を表示するタグ側表示手段を有するタグ装置と通信可能に構成されたものであり、前記タグ側表示手段に表示される表示情報の一部を指定する指定情報の入力を受け付ける指定情報受付手段と、その指定情報受付手段により指定情報として指定された表示情報と変更する他の表示情報である変更表示情報の入力を受け付ける変更表示情報受付手段と、前記指定情報受付手段により受け付けた前記指定情報と、前記変更表示情報受付手段により受け付けた前記変更表示情報とに基づいて、前記表示情報のうち前記指定情報を前記変更表示情報に変更した送信表示情報を作成する変更手段と、その変更手段により作成した送信表示情報を前記タグ装置に送信する第２送信手段とを備えている。
【００１９】
請求項１１記載の通信装置は、請求項１０記載の通信装置において、所定の配置パターンで配置した複数の表示領域に分割して表示情報を表示するタグ装置と通信する通信装置であって、前記指定情報受付手段は、前記複数の表示領域のうちいずれの配置位置の表示領域かを識別する配置位置識別情報を前記指定情報として受け付けるものであり、前記変更手段は、前記指定情報受付手段により受け付けた前記配置位置識別情報と、前記変更表示情報受付手段により受け付けた前記変更表示情報とに基づいて、前記表示情報のうち前記配置位置識別情報を前記変更表示情報に変更した送信表示情報を作成するものである。
【００２０】
請求項１２記載の通信装置は、請求項１１記載の通信装置において、前記配置パターンを識別するテンプレート識別情報を前記タグ装置から取得するテンプレート識別情報取得手段を備え、前記指定情報受付手段は、前記テンプレート識別情報と、前記配置位置識別情報とを前記指定情報として受け付けるものであり、前記第２送信手段は、前記テンプレート識別情報取得手段により取得した前記テンプレート識別情報が前記指定情報受付手段により受け付けた前記テンプレート識別情報と同一の場合には、前記変更手段により前記配置位置識別情報が前記変更表示情報に変更された送信表示情報を前記タグ装置に送信し、前記テンプレート識別情報取得手段により取得した前記テンプレート識別情報と前記指定情報受付手段により受け付けた前記テンプレート識別情報とが異なる場合には、前記変更手段により前記配置位置識別情報が前記変更表示情報に変更された送信表示情報を前記タグ装置に送信しないものである。
【００２１】
請求項１３記載の通信装置は、請求項１１または１２に記載の通信装置において、前記指定情報受付手段は、前記テンプレート識別情報と、前記配置位置識別情報とを前記指定情報として受け付けるものであり、前記テンプレート識別情報と、そのテンプレート識別情報に対応する複数の配置位置識別情報とを外部装置から取得するテンプレート取得手段と、そのテンプレート取得手段により取得した前記複数の配置位置識別情報の中から選択される１または複数の配置位置識別情報の選択を受け付ける配置位置選択手段とを備え、前記テンプレート取得手段により取得した前記テンプレート識別情報と、前記配置位置選択手段により受け付けた前記配置位置識別情報とを前記指定情報として受け付けるものである。
【００２２】
請求項１４記載の通信装置は、請求項１０記載の通信装置において、前記指定情報受付手段は、入力された表示情報を前記指定情報として受け付けるものであり、前記変更手段は、前記指定情報受付手段により受け付けた表示情報である指定表示情報と、前記変更表示情報とに基づいて、前記表示情報のうち前記指定情報を前記変更表示情報に変更した送信表示情報を作成するものである。
【００２３】
請求項１５記載の通信装置は、請求項１３記載の通信装置において、前記タグ装置からそのタグ装置の表示情報を取得する第１表示情報取得手段を備え、前記第２送信手段は、前記第１表示情報取得手段により取得した情報である第１取得表示情報に、前記指定情報受付手段により受け付けた前記指定表示情報が含まれる場合には、前記変更手段により前記指定表示情報が前記変更表示情報に変更された送信表示情報を前記タグ装置に送信し、前記第１表示情報取得手段により取得した情報である第１取得表示情報に、前記指定情報受付手段により受け付けた前記指定表示情報が含まれない場合には、前記変更手段により前記指定表示情報が前記変更表示情報に変更された送信表示情報を前記タグ装置に送信しないものである。
【００２４】
請求項１６記載の通信装置は、請求項１４または１５に記載の通信装置において、前記指定情報受付手段は、入力された表示情報を前記指定情報として受け付けるものであり、前記表示情報を外部装置から取得する第２表示情報取得手段と、その第２表示情報取得手段により取得した第２取得表示情報の中から一部の表示情報の選択を選択表示情報として受け付ける表示情報選択手段とを備え、その表示情報選択手段により受け付けた前記選択表示情報を前記指定情報として受け付けるものである。
【００２５】
請求項１７記載の通信装置は、請求項１１から１６のいずれかに記載の通信装置において、前記表示領域に日時を表示する日時表示領域が設けられているか否かを判定する日時表示領域判定手段と、現在の日時を取得する日時取得手段と、前記日時表示領域判定手段により、前記表示領域に日時表示領域が設けられていると判定された場合に、前記変更表示情報受付手段により変更表示情報を受け付けた日時を前記日時取得手段により取得して、その取得した日時を前記日時領域に設定する日時設定手段を備えている。
【００２６】
請求項１８記載の通信装置は、請求項１０記載の通信装置において、前記第２送信手段は、前記送信表示情報の送信を別のタグ装置へ継続して繰返し実行するものである。
【００２７】
請求項１９記載の通信装置は、請求項１から１８のいずれかに記載の通信装置において、前記タグ装置の表示情報を表示する通信側表示手段を備え、前記タグ装置のタグ側表示手段に表示される表示情報の一部を指定する指定情報の入力が前記指定情報受付手段に受け付けられた場合に、その受け付けられた指定情報を前記通信側表示手段に強調して表示させる強調表示手段を備えている。
【００２８】
請求項２０記載の通信装置は、請求項１から１９のいずれかに記載の通信装置において、前記タグ装置の各々には、タグ側表示手段に表示される表示情報の変更を許可する識別情報が付与されており、前記各タグ装置に付与された識別情報を受信する識別情報受信手段と、前記各タグ装置に付与された識別情報を受け付ける識別情報受付手段と、前記識別情報受信手段が受信した識別情報と前記識別情報受付手段により受け付けられた識別情報とが一致した場合に、前記第１送信手段または第２送信手段による送信を許可する送信許可手段とを備えている。
【００２９】
請求項２１記載の通信装置は、請求項１から２０のいずれかに記載の通信装置において、前記識別情報受信手段は、前記タグ装置の各々に付与された識別情報が記憶された外部装置またはタグ装置から、前記送信許可手段が用いる識別情報を受信するものである。
【００３０】
請求項２２記載の通信装置は、請求項１から２１のいずれかに記載の通信装置において、前記タグ装置のタグ側表示手段に表示される表示情報の変更を禁止するライトプロテクトを設定するライトプロテクト設定手段を備えている。
【００３１】
請求項２３記載のタグ装置は、前記タグ側表示手段に表示される表示情報を記憶するタグ用記憶手段と、請求項１から９のいずれかに記載の通信装置および請求項１９から２２のいずれかに記載の通信装置から送信される前記指定情報と前記変更表示情報とを受信するタグ用受信手段と、そのタグ用受信手段により受信された前記指定情報と前記変更表示情報とに基づいて、前記表示情報のうち前記指定情報を前記変更表示情報に変更した改定表示情報を作成するタグ用変更手段と、そのタグ用変更手段により作成した改定表示情報を表示情報としてタグ用記憶手段に記憶させると共に、前記タグ側表示手段に表示させるタグ用制御手段とを備えている。
【００３２】
請求項２４記載のタグ装置は、前記タグ側表示手段に表示する表示情報を記憶する第２タグ用記憶手段と、請求項１０から２２のいずれかに記載の通信装置から送信される送信表示情報を受信する第２タグ用受信手段と、その第２タグ用受信手段により受信された送信表示情報を表示情報として第２タグ用記憶手段に記憶させると共に、前記タグ側表示手段に表示させる第２タグ用制御手段とを備えている。
【００３３】
請求項２５記載の情報通信システムは、請求項１から９のいずれかに記載の通信装置および請求項１９から２２のいずれかに記載の通信装置と請求項２３記載のタグ装置とを備えている。
【００３４】
請求項２６記載の情報通信システムは、請求項１０から２２のいずれかに記載の通信装置と請求項２４記載のタグ装置とを備えている。
【発明の効果】
【００３５】
請求項１記載の通信装置によれば、タグ装置のタグ側表示手段に表示される表示情報の一部を変更するために、表示情報の一部が指定情報として指定情報受付手段に受け付けられ、指定情報として指定された表示情報と変更する他の表示情報である変更表示情報が変更表示情報受付手段に受け付けられると、受け付けた指定情報と変更表示情報とを第１送信手段によりタグ装置に送信する。この指定情報と変更表示情報とをタグ装置が受信した場合には、タグ装置は指定情報と変更表示情報とを用いて、タグ側表示手段に表示される表示情報を変更する。よって、タグ装置のタグ側表示手段に表示される表示情報の一部に変更が必要になった場合には、タグ側表示手段に表示される表示情報の全てを変更することなく、表示情報の一部を他の表示情報である変更表示情報に変更することができる。従って、表示情報の全てを変更する場合と比較して、表示情報の変更に費やす時間を低減することができるという効果がある。
【００３６】
請求項２記載の通信装置によれば、請求項１記載の通信装置の奏する効果に加え、指定情報受付手段は、複数の表示領域のうち、いずれの表示領域の配置位置を識別する配置位置識別情報を指定情報として受け付け、第１送信手段は、その受け付けた配置位置識別情報と変更位置情報とをタグ装置に送信する。よって、指定情報受付手段が指定情報として配置位置識別情報を受け付けることで、指定情報の指定を容易に行うことができるという効果がある。
【００３７】
請求項３記載の通信装置によれば、請求項２記載の通信装置の奏する効果に加え、指定情報受付手段により受け付けたテンプレート識別情報が、テンプレート識別情報取得手段により取得されたテンプレート識別情報と一致しない場合には、第１送信手段は、配置位置識別情報と変更表示情報とを送信しない。よって、指定情報受付手段により受け付けたテンプレート識別情報がテンプレート識別情報取得手段により取得されたテンプレート識別情報と異なっている場合には、第１送信手段により配置位置識別情報と変更表示情報とがタグ装置に送信されることを防止して、タグ装置のタグ側表示手段に表示される表示情報の一部に意図しない変更が行われることを防止することができるという効果がある。
【００３８】
請求項４記載の通信装置によれば、請求項２または３記載の通信装置の奏する効果に加え、テンプレート取得手段は、テンプレート識別情報と、そのテンプレート識別情報に対応する複数の配置位置識別情報とを外部装置から取得する。そして、配置位置選択手段は、テンプレート取得手段により取得した複数の配置位置識別情報の中から、１または複数の配置位置識別情報の選択を受け付ける。よって、外部装置に記憶されたテンプレート識別情報と複数の配置位置識別情報とを利用することができることに加え、外部装置から取得した複数の配置位置識別情報を利用して、１または複数の配置位置識別情報を選択することができるという効果がある。
【００３９】
請求項５記載の通信装置によれば、請求項１記載の通信装置の奏する効果に加え、指定情報受付手段は、指定情報として、入力された表示情報を受け付ける。そして、第１送信手段は、変更表示情報と、指定情報受付手段により受け付けた表示情報である指定情報とをタグ装置に送信する。よって、指定情報として指定する表示情報が比較的少なく、表示情報を入力するのが指定情報を最も早く指定できる場合には、その表示情報を入力して、その入力した表示情報を指定情報受付手段が指定情報として受け付けることで、指定情報の指定に費やす時間を低減することができるという効果がある。
【００４０】
請求項６記載の通信装置によれば、請求項４記載の通信装置の奏する効果に加え、第１表示情報取得手段が取得した第１取得表示情報に、指定情報受付手段により受け付けた指定表示情報が含まれない場合には、第１送信手段は、指定表示情報と変更表示情報とを送信しない。よって、第１表示情報取得手段が取得した第１取得表示情報に、指定情報受付手段により受け付けた指定表示情報が含まれない場合には、第１送信手段により指定表示情報と変更表示情報とがタグ装置に送信されることを防止して、タグ装置のタグ側表示手段に表示される表示情報の一部に意図しない変更が行われることを防止することができるという効果がある。
【００４１】
請求項７記載の通信装置によれば、請求項５または６に記載の通信装置の奏する効果に加え、第２表示情報取得手段は、表示情報を外部装置から取得する。そして、表示情報選択手段は、第２表示情報取得手段により取得された第２取得表示情報の中から、一部の表示情報の選択を選択表示情報として受け付ける。よって、外部装置に記憶された表示情報を利用することができることに加え、外部装置から取得した表示情報を用いて一部の表示情報を選択し選択表示情報とすることができるという効果がある。
【００４２】
請求項８記載の通信装置によれば、請求項２から７のいずれかに記載の通信装置の奏する効果に加え、日時表示領域判定手段により、前記表示領域に日時表示領域が設けられていると判定された場合には、日時設定手段は、変更表示情報受付手段により変更表示情報を受け付けた日時を日時取得手段により取得して、その取得した日時を日時領域に設定する。よって、変更表示情報受付手段により変更表示情報を受け付けた日時、即ち、表示情報が変更された日時を記録することができるという効果がある。
【００４３】
請求項９記載の通信装置によれば、請求項１記載の通信装置の奏する効果に加え、第１送信手段は、指定情報受付手段により受け付けた前記指定情報と、前記変更表示情報受付手段により受け付けた前記変更表示情報との送信を別のタグ装置へ継続して繰返し実行する。よって、複数のタグ装置のタグ側表示手段に表示される表示情報に同一の変更を複数行う場合には、各々のタグ装置に表示情報を順次送信して、各々のタグ装置のタグ側表示手段に表示される表示情報を次々と変更することができるという効果がある。
【００４４】
請求項１０記載の通信装置によれば、タグ装置のタグ側表示手段に表示される表示情報の一部を変更するために、表示情報の一部が指定情報として指定情報受付手段に受け付けられ、指定情報として指定された表示情報と変更する他の表示情報である変更表示情報が変更表示情報受付手段に受け付けられると、受け付けた指定情報と変更表示情報とに基づいて、変更手段は、表示情報のうち、指定情報を変更表示情報に変更した送信表示情報を作成する。そして、第２送信手段は、変更手段により作成した送信表示情報をタグ装置へ送信する。送信表示情報をタグ装置が受信した場合には、タグ装置は送信表示情報を用いて、タグ側表示手段に表示される表示情報を変更する。よって、変更手段により、表示情報を他の表示情報である変更表示情報に変更して送信表示情報を予め作成し、タグ装置へ送信することで、タグ側表示手段に表示される表示情報の一部をタグ装置が変更する場合と比較して、タグ装置で実行される処理を簡略化することができるという効果がある。
【００４５】
請求項１１記載の通信装置によれば、請求項１０記載の通信装置の奏する効果に加え、指定情報受付手段は、複数の表示領域のうち、いずれの表示領域の配置位置を識別する配置位置識別情報を指定情報として受け付け、変更手段は、その受け付けた配置位置識別情報と、変更表示情報受付手段が受け付けた変更表示情報に基づいて、送信表示情報を作成する。よって、指定情報受付手段が指定情報として配置位置識別情報を受け付けることにより、指定情報の指定を容易に行うことができるという効果がある。
【００４６】
請求項１２記載の通信装置によれば、請求項１１記載の通信装置の奏する効果に加え、指定情報受付手段により受け付けたテンプレート識別情報が、テンプレート識別情報取得手段により取得されたテンプレート識別情報と一致しない場合には、送信手段は、送信表示情報を送信しない。よって、指定情報受付手段により受け付けたテンプレート識別情報がテンプレート識別情報取得手段により取得されたテンプレート識別情報と異なっている場合には、第２送信手段により送信表示情報が送信されることを防止して、タグ装置のタグ側表示手段に表示される表示情報に意図しない変更が行われることを防止することができるという効果がある。
【００４７】
請求項１３記載の通信装置によれば、請求項１１または１２記載の通信装置の奏する効果に加え、テンプレート取得手段は、テンプレート識別情報と、そのテンプレート識別情報に対応する複数の配置位置識別情報とを外部装置から取得する。そして、配置位置選択手段は、テンプレート取得手段により取得した複数の配置位置識別情報の中から、１または複数の配置位置識別情報の選択を受け付ける。よって、外部装置に記憶されたテンプレート識別情報と複数の配置位置識別情報とを利用することができることに加え、外部装置から取得した複数の配置位置識別情報を利用して、１または複数の配置位置識別情報を選択することができるという効果がある。
【００４８】
請求項１４記載の通信装置によれば、請求項１０記載の通信装置の奏する効果に加え、指定情報受付手段は、指定情報として、入力された表示情報を受け付ける。そして、変更手段は、変更表示情報と、指定情報受付手段により受け付けた表示情報である指定情報とに基づいて、送信表示情報を作成する。よって、指定情報として指定する表示情報が比較的少なく、表示情報を入力するのが指定情報を最も早く指定できる場合には、その表示情報を入力して、その入力した表示情報を指定情報受付手段が指定情報として受け付けることで、指定情報の指定に費やす時間を低減することができるという効果がある。
【００４９】
請求項１５記載の通信装置によれば、請求項１３記載の通信装置の奏する効果に加え、第１表示情報取得手段が取得した第１取得表示情報に、指定情報受付手段により受け付けた指定表示情報が含まれない場合には、第２送信手段は、変更手段により作成された送信表示情報を送信しない。よって、第１表示情報取得手段が取得した第１取得表示情報に、指定情報受付手段により受け付けた指定表示情報が含まれない場合には、第２送信手段により送信表示情報が送信されることを防止して、タグ装置のタグ側表示手段に表示される表示情報に意図しない変更が行われることを防止することができるという効果がある。
【００５０】
請求項１６記載の通信装置によれば、請求項１４または１５に記載の通信装置の奏する効果に加え、第２表示情報取得手段は、表示情報を外部装置から取得する。そして、表示情報選択手段は、第２表示情報取得手段により取得された第２取得表示情報の中から、一部の表示情報の選択を選択表示情報として受け付ける。よって、外部装置に記憶された表示情報を利用することができることに加え、外部装置から取得した表示情報を用いて一部の表示情報を選択し選択表示情報とすることができるという効果がある。
【００５１】
請求項１７記載の通信装置によれば、請求項１１から１６のいずれかに記載の通信装置の奏する効果に加え、日時表示領域判定手段により、前記表示領域に日時表示領域が設けられていると判定された場合には、日時設定手段は、変更表示情報受付手段により変更表示情報を受け付けた日時を日時取得手段により取得して、その取得した日時を日時領域に設定する。よって、変更表示情報受付手段により変更表示情報を受け付けた日時、即ち、表示情報が変更された日時を記録することができるという効果がある。
【００５２】
請求項１８記載の通信装置によれば、請求項１０記載の通信装置の奏する効果に加え、第２送信手段は、送信表示情報の送信を別のタグ装置へ継続して繰返し実行する。よって、複数のタグ装置のタグ側表示手段に表示される表示情報に同一の変更を複数行う場合には、各々のタグ装置に表示情報を順次送信して、各々のタグ装置のタグ側表示手段に表示される表示情報を次々と変更することができるという効果がある。
【００５３】
請求項１９記載の通信装置によれば、請求項１から１８のいずれかに記載の通信装置の奏する効果に加え、指定情報受付手段により指定情報が受け付けられた場合には、その受け付けられた指定情報を強調表示手段により通信側表示手段に強調して表示させることができるので、操作者に指定情報を視認し易くすることができる。よって、指定情報の選択誤りを低減することができるという効果がある。
【００５４】
請求項２０記載の通信装置によれば、請求項１から１９のいずれかに記載の通信装置の奏する効果に加え、識別情報受信手段により受信された各タグ装置に付与された識別情報と、識別情報受付手段により受け付けられた各タグ装置に付与された識別情報とが一致した場合に、送信許可手段により第１送信手段または第２送信手段の送信が許可される。よって、識別情報受信手段が受信した識別情報と識別情報受付手段により受け付けられた識別情報とが一致しない場合には、送信許可手段により第１送信手段または第２送信手段の送信が許可されない。従って、表示情報を変更する必要のないタグ装置に対し、第１送信手段または第２送信手段による送信が実行されることを防止することができるという効果がある。
【００５５】
請求項２１記載の通信装置によれば、請求項１から２０のいずれかに記載の通信装置の奏する効果に加え、識別情報受信手段は、タグ装置の各々に付与された識別情報が記憶された記憶装置またはタグ装置から、送信許可手段が用いる識別情報を受信する。よって、送信許可手段による第１送信手段または第２送信手段の送信の許可を行う場合には、記憶装置またはタグ装置に予め記憶された識別情報を用いることができるという効果がある。
【００５６】
請求項２２記載の通信装置によれば、請求項１から２１のいずれかに記載の通信装置の奏する効果に加え、ライトプロテクト設定手段の設定により、タグ側表示手段に表示される表示情報の変更を禁止することができる。よって、タグ側表示手段に表示される表示情報の意図しない改ざんを防止することができるという効果がある。
【００５７】
請求項２３記載のタグ装置によれば、タグ用受信手段が指定情報と変更表示情報とを受信すると、タグ用変更手段は、受信された指定情報と変更表示情報とに基づいて、表示情報のうち、指定情報を変更表示情報に変更した改定表示情報を作成する。そして、タグ用制御手段は、タグ用変更手段が作成した改定表示情報を表示情報としてタグ用記憶手段に記憶させると共に、タグ側表示手段に表示させる。よって、タグ側表示手段に表示される表示情報の一部に変更が必要になった場合には、タグ側表示手段に表示される表示情報の全てを変更することなく、表示情報の一部を変更することができるので、表示情報を全て変更する場合と比較して、表示情報の変更に費やす時間を低減することができるという効果がある。
【００５８】
請求項２４記載のタグ装置によれば、第２タグ用受信手段が送信表示情報を受信すると、第２タグ用制御手段は、受信した送信表示情報を表示情報としてタグ用記憶手段に記憶させると共に、タグ用表示手段に表示させる。よって、タグ側表示手段に表示される表示情報の一部をタグ装置が変更する場合と比較して、タグ装置で実行される処理を簡略化することができるという効果がある。
【００５９】
請求項２５記載の情報通信システムによれば、請求項１から９のいずれかに記載の通信装置および請求項１９から２２のいずれかに記載の通信装置の奏する効果と請求項２３記載のタグ装置の奏する効果とを発揮することができるという効果がある。
【００６０】
請求項２６記載の情報通信システムによれば、請求項１０から２２のいずれかに記載の通信装置の奏する効果と請求項２４記載のタグ装置の奏する効果とを発揮することができるという効果がある。
【発明を実施するための最良の形態】
【００６１】
以下、本発明の好ましい実施形態について、添付図面を参照して説明する。図１は、本発明のタグ無線通信システム９０の構成を示した概略図である。なお、タグ無線通信システム９０は、主に、複数の無線タグ装置１０とリーダ・ライタ装置３０と外部記憶装置６０とで構成されている。複数の無線タグ装置１０とリーダ・ライタ装置３０、およびリーダ・ライタ装置３０と外部記憶装置６０とはそれぞれ無線通信可能に構成されている。
【００６２】
図１に示すように、無線タグ装置１０は、バインダー２の背表紙に装着されており、そのバインダー２は、本棚１００に収納されている。なお、無線タグ装置１０は、バインダー２の背表紙に装着したが、ＣＤ、ＤＶＤやボックスなどに装着したり、本棚１００に装着したり、如何なるものに装着する構成としても良い。
【００６３】
無線タグ装置１０は、タグ装置用アンテナ１１と、タグ装置用ディスプレイ１２と、タグ装置用ＩＣ回路部１３とを有している。タグ装置用アンテナ１１は、リーダ・ライタ装置３０および外部記憶装置６０から送信されたデータを受信し、受信したデータをタグ装置用ＩＣ回路部１３へ出力すると共に、タグ装置用ＩＣ回路１３から出力されたデータをリーダ・ライタ装置３０および外部記憶装置６０へ送信するアンテナである。タグ装置用ディスプレイ１２は、タグ装置用ＩＣ回路部１３から出力される制御信号によって、表示を変更することができる電気泳動方式を採用した不揮発性の表示装置である。タグ装置用ＩＣ回路部１３は、タグ装置用ディスプレイ１２に表示するバインダー２の名称等のデータの設定およびタグ装置用ディスプレイ１２の制御を行う制御部である。なお、無線タグ装置１０には、図示しない電池が備えられており、この電池により無線タグ装置１０の各デバイスに電源が供給される。
【００６４】
ここで、タグ装置用ディスプレイ１２に採用した電気泳動方式について説明する。電気永動式の表示装置の動作原理である電気泳動現象とは、液相分散媒中に微粒子を分散させた分散液に電界を印加したときに、分散によって自然に帯電した粒子（電気泳動粒子）がクーロン力により移動する現象である。この電気泳動方式表示装置は、表示画像保持性能を有しており、電界の印加により一度表示された画像を保持することが可能である。
【００６５】
リーダ・ライタ装置３０は、無線タグ装置１０および外部記憶装置６０と無線通信を行う装置であり、アンテナ３１と、ディスプレイ３２と、キーボード３３とを有している。アンテナ３１は、無線タグ装置１０および外部記憶装置６０から送信されたデータを受信すると共に、リーダ・ライタ装置３０から出力されるデータを送信するものである。ディスプレイ３２は、液晶を利用した表示装置である。キーボード３３は、無線タグ装置１０および外部記憶装置６０に送信するデータの入力や、リーダ・ライタ装置３０の機能を変更する場合に操作される十字ボタン３４、機能ボタン３５、タグ表示ボタン３６、決定ボタン３７や複数の丸ボタン３８などを有している。
【００６６】
十字ボタン３４は、ディスプレイ３２に表示される項目（実行したい処理のメニューなど）を選択する場合に操作されるボタンである。例えば、ディスプレイ３２に複数の項目が表示されている場合に、十字ボタン３４を上方向に操作すると、ディスプレイ３２に表示されているカーソルが一つ上に移動して選択される項目が変更される。
【００６７】
機能ボタン３５は、リーダ・ライタ装置３０が有する機能を変更する場合に操作されるボタンである。機能ボタン３５の操作と実行される処理についての説明は後述する。
【００６８】
タグ表示ボタン３６は、無線タグ装置１０のタグ装置用ディスプレイ１２にラベル名などを表示させる場合に操作されるボタンである。本実施形態では、タグ表示ボタン３６が操作されている間、タグ装置用ディスプレイ１２に表示がなされるように構成されている。
【００６９】
決定ボタン３７は、ディスプレイ３２に表示された項目の決定や、操作者（検索者）に対しての問い合わせの回答を決定する場合に操作されるボタンである。この決定ボタン３７を操作することにより、リーダ・ライタ装置３０への入力が確定（決定）される。
【００７０】
丸ボタン３８は、文字等を入力するために操作されるボタンである。丸ボタン３８には、それぞれに各種の文字等が割り当てられているので、丸ボタン３８を操作することにより、所望の文字等が入力される。そして、入力された文字等はディスプレイ３２に表示される。なお、ここで文字等とは、文字、数字、記号を含む意味である。
【００７１】
外部記憶装置６０は、リーダ・ライタ装置３０と無線通信を行うと共に、無線タグ装置１０およびリーダ・ライタ装置３０に記憶される各種データを記憶する装置であり、アンテナ６１と、ディスプレイ６２と、キーボード６３とを有している。アンテナ６１は、リーダ・ライタ装置３０から送信されたデータを受信すると共に、外部記憶装置６０から出力されるデータを送信するアンテナである。ディスプレイ６２は、液晶を利用した表示装置である。キーボード６３は、リーダ・ライタ装置３０に送信するデータの入力を行う入力装置である。
【００７２】
なお、本実施形態では、無線タグ装置１０およびリーダ・ライタ装置３０に記憶される各種データを、リーダ・ライタ装置３０と無線通信を行う外部記憶装置６０に記憶させたが、これに限られるものではない。例えば、無線タグ装置１０およびリーダ・ライタ装置３０に記憶される各種データを、外部記憶装置６０に通信回線網を介して接続されたサーバ装置に記憶させても良い。この場合には、外部記憶装置６０は、サーバ装置から通信回線網を介して無線タグ装置１０およびリーダ・ライタ装置３０に記憶される各種データを取得して、取得した各種データを無線通信によりリーダ・ライタ装置３０へ送信する。また、外部記憶装置６０は、リーダ・ライタ装置３０で新たに各種データが作成された場合には、リーダ・ライタ装置３０から無線通信により新たに作成された各種データを受信し、その受信した各種データを通信回線網を介して、サーバ装置に記憶させる。
【００７３】
次に、図２を参照して、無線タグ装置１０、リーダ・ライタ装置３０および外部記憶装置６０のハードウェア構成について説明する。図２は、無線タグ装置１０、リーダ・ライタ装置３０および外部記憶装置６０のハードウェア構成を示した図である。図２（ａ）は無線タグ装置１０のハードウェア構成を示した図であり、図２（ｂ）はリーダ・ライタ装置３０のハードウェア構成を示した図であり、図２（ｃ）は外部記憶装置６０のハードウェア構成を示した図である。
【００７４】
まず、図２（ａ）を参照して、無線タグ装置１０のハードウェア構成について説明する。無線タグ装置１０は、上述したように、タグ装置用アンテナ１１と、タグ装置用ディスプレイ１２と、タグ装置用ＩＣ回路１３とを主に有している。さらに、タグ装置用ＩＣ回路１３は、タグ装置用送受信機１４と、タグ装置用ＣＰＵ１５と、タグ装置用ＲＯＭ１６と、タグ装置用ＲＡＭ１７と、タグ装置用フラッシュメモリ１８と、タグ装置用入出力ポート１９と、タグ装置用時計２４とを有している。なお、タグ装置用時計２４は、現在時刻を計時する装置であり、無線タグ装置１０に記憶されるデータを変更したときに、変更日時を無線タグ装置１０に記憶させる場合などに参照される。
【００７５】
タグ装置用送受信機１４は、タグ装置用アンテナ１１と信号線２０を介して接続されており、無線タグ装置１０から送信するデータを高周波電流に変えてタグ装置用アンテナ１１に送り出す送信装置と、タグ装置用アンテナ１１が受信した高周波電流から必要なデータを取り出す受信装置とが一体化された装置である。また、タグ装置用送受信機１４は、バスライン２１を介してタグ装置用入出力ポート１９と接続されており、受信された高周波電流から必要なデータを取り出した後に、その取り出したデータをタグ装置用入出力ポート１９に出力する機能と、タグ装置用入出力ポート１９から出力されたデータを受け取る入力機能とを有している。
【００７６】
よって、リーダ・ライタ装置３０から送信された電波をタグ装置用アンテナ１１が受信した場合には、受信した電波をタグ装置用アンテナ１１によって高周波電流に変換し、その変換された高周波電流は信号線２０を介してタグ装置用送受信機１４に入力される。そして、タグ装置用送受信機１４は、入力された高周波電流から必要なデータを取り出し、取り出した必要なデータを、バスライン２１を介してタグ装置用入出力ポート１９に出力する。また、無線タグ装置１０からリーダ・ライタ装置３０にデータを送信する場合には、タグ装置用入出力ポート１９から入力されたデータをバスライン２１を介してタグ装置用送受信機１４が受け取り、その受け取ったデータを高周波電流に変換し、タグ装置用アンテナ１１に出力する。出力された高周波電流はタグ装置用アンテナ１１により電波に変換され、リーダ・ライタ装置３０に送信される。
【００７７】
タグ装置用ＣＰＵ１５は、バスライン２２により接続された各部を制御する演算装置である。タグ装置用ＲＯＭ１６は、タグ装置用ＣＰＵ１５により実行される制御プログラム（例えば、図１０に示すフローチャート）を格納した書き換え不能な不揮発性のメモリである。タグ装置用ＲＡＭ１７は、制御プログラムの実行時に各種のデータを一時的に記憶するメモリである。タグ装置用フラッシュメモリ１８は、リーダ・ライタ装置３０から送信されたデータを記憶する書き換え可能な不揮発性のメモリである。タグ装置用フラッシュメモリ１８に記憶された各種データは、入出力ポート１９に接続されたバスライン２３を介してタグ装置用ディスプレイ１２に表示される。
【００７８】
タグ装置用フラッシュメモリ１８には、テンプレートメモリ１８ａ１、文字列メモリ１８ａ２、初めてフラグメモリ１８ａ３およびＩＤデータメモリ１８ａ４を有するタグ装置用タグデータメモリ１８ａが設けられている。なお、タグ装置用タグデータメモリ１８ａに記憶される全てのデータを「タグデータ」と称す。
【００７９】
テンプレートメモリ１８ａ１は、文字等を表示する表示領域の配置が予め決定されたテンプレートを記憶するメモリである。文字列メモリ１８ａ２は、テンプレートの表示領域に表示する文字等の文字列を記憶するメモリである。テンプレートメモリ１８ａ１に記憶されたテンプレートと文字列メモリ１８ａ２に記憶された文字列とを組み合わせて、無線タグ装置１０はタグ装置用ディスプレイ１２に文字等の表示を行う。
【００８０】
タグ用初めてフラグメモリ１８ａ３は、初めてフラグを記憶するためのメモリである。この初めてフラグは、無線タグ装置１０が未使用の場合（タグ装置用タグデータメモリ１８ａにタグデータが記憶されていない場合）、または、操作者によって無線タグ装置１０を初期化可能な状態に設定した場合にオン状態となる。また、初めてフラグは、無線タグ装置１０が使用中の場合（タグ装置用タグデータメモリ１８ａにタグデータが記憶されている場合）にオフ状態となる。この初めてフラグがオフ状態に設定されていると、一定の権限を付与された操作者でなければ、タグ装置用タグデータメモリ１８ａに記憶されたタグデータを書き換えることができない。一方、初めてフラグがオン状態に設定されていると、一定の権限の有無に拘らずに何れの操作者でも、タグ装置用タグデータメモリ１８ａに記憶されたタグデータを書き換えることができる。
【００８１】
ＩＤデータメモリ１８ａ４は、操作者により無線タグ装置１０に付与された各種のＩＤ（Identification）やデータを符号で表現したコード等を記憶するメモリである。このＩＤデータメモリ１８ａ４には、タグ装置用タグデータメモリ１８ａに記憶されたタグデータを作成した作成者のＩＤを示す作成者コードと、タグ装置用タグデータメモリ１８ａに記憶されたタグデータを書き換える権限が付与された操作者を示す操作者コード、文字列メモリ１８ａ２に記憶された文字列の変更範囲を設定する変更ラベルＩＤ、タグ装置用タグデータメモリ１８ａに記憶されたタグデータの変更を禁止するライトプロテクトの設定、およびそのライトプロテクトを解除するパスワードが記憶されている。なお、ＩＤデータメモリ１８ａ４に記憶される全てのデータを「ＩＤデータ」と称す。
【００８２】
タグ装置用タグデータメモリ１８ａに記憶されているタグデータは、リーダ・ライタ装置３０から送信されるデータによって書き換えることができる。例えば、リーダ・ライタ装置３０からテンプレートおよび文字列が信号に変換された電波が送信されると、その電波がタグ装置用アンテナ１１に受信され、タグ装置用送受信機１４によりテンプレートおよび文字列が取り出され、その取り出したテンプレートおよび文字列はバスライン２１を介してタグ装置用入出力ポート１９に出力される。そして、タグ装置用ＣＰＵ１５により、取り出されたテンプレートおよび文字列はバスライン２２を介して、それぞれタグ装置用フラッシュメモリ１８内のテンプレートメモリ１８ａ１および文字列メモリ１８ａ２に記憶される。このように、タグ装置用タグデータメモリ１８ａに記憶されているタグデータは、リーダ・ライタ装置３０から送信されるデータによって書き換えられる。
【００８３】
また、タグ装置用タグデータメモリ１８ａに記憶されているテンプレートおよび文字列の送信を行う場合は、タグ装置用ＣＰＵ１５により、テンプレートメモリ１８ａ１および文字列メモリ１８ａ２からテンプレートおよび文字列の読み出し命令が行われ、タグ装置用入出力ポート１９を介してタグ装置用送受信機１４へテンプレートおよび文字列が出力される。出力されたテンプレートおよび文字列は、タグ装置用送受信機１４により高周波電流信号に変換され、タグ装置用アンテナ１１から送信される。
【００８４】
また、タグ装置用タグデータメモリ１８ａに記憶されているタグデータに基づいて、タグ装置用ディスプレイ１２にタグデータを表示する場合には、例えば、タグ装置用ＣＰＵ１５の命令により、タグ装置用タグデータメモリ１８ａから必要なデータ（テンプレートおよび文字列など）が読み出されてタグ装置用ディスプレイ１２に表示される。
【００８５】
次に、図２（ｂ）を参照して、リーダ・ライタ装置３０のハードウェア構成を説明する。リーダ・ライタ装置３０は、アンテナ３１と、ディスプレイ３２と、キーボード３３と、時計３９と、入出力ポート４０と、ＣＰＵ４６と、ＲＯＭ４７と、ＲＡＭ４８と、フラッシュメモリ４９と、送受信機５０とを有している。なお、時計３９は、現在時刻を計時するものである。
【００８６】
送受信機５０は、送信するデータを高周波電流信号に変えてアンテナ３１に送り出す送信装置と、アンテナ３１が受信した高周波電流信号から必要となるデータを取り出す受信装置とが一体化された装置であり、アンテナ３１と信号線４１で接続されている。また、送受信機５０は、バスライン４２を介して入出力ポート４０と接続されており、受信された高周波電流信号から必要となるデータを取り出した後に、その取り出したデータを入出力ポート４０に出力する機能と、入出力ポート４０から出力されたデータを受け取る入力機能とを有している。
【００８７】
よって、無線タグ装置１０からの電波をアンテナ３１が受信した場合には、受信した電波をアンテナ３１によって高周波電流に変換し、その変換された高周波電流は信号線４１を介して送受信機５０に入力される。そして、送受信機５０は、入力された高周波電流から必要なデータを取り出し、取り出した必要なデータを、バスライン４２を介して入出力ポート４０に出力する。また、リーダ・ライタ装置３０から無線タグ装置１０にデータを送信する場合には、入出力ポート４０から入力されたデータをバスライン４２を介して送受信機５０が受け取り、その受け取ったデータを高周波電流に変換し、アンテナ３１に出力する。出力された高周波電流はアンテナ３１により電波に変換され、無線タグ装置１０に送信される。
【００８８】
ＣＰＵ４６は、バスライン４３により接続された各部を制御する演算装置である。ＲＯＭ４７は、ＣＰＵ４６により実行される制御プログラム（例えば、図５〜図９、および図１２に示すフローチャート）や各種テーブルなどを格納した書き換え不能な不揮発性のメモリである。ＲＡＭ４８は、制御プログラムの実行時に利用するデータ、無線タグ装置１０から送信されたデータおよび無線タグ装置１０に送信するデータを一時的に記憶するメモリである。フラッシュメモリ４９は、無線タグ装置１０へ送信したデータおよび無線タグ装置１０が使用する全てのテンプレートを記憶する書き換え可能な不揮発性のメモリである。なお、フラッシュメモリ４９に記憶される各種データは、入出力ポート４０にバスライン４５を介して接続されるキーボード３３からの入力により変更可能に構成されている。また、フラッシュメモリ４９に記憶される各種データは、入出力ポート４０に接続されたバスライン４４を介してディスプレイ３２に表示することができる。
【００８９】
ＲＡＭ４８には、受信用データメモリ４８ａと入力編集データメモリ４８ｂと変更入力編集データメモリ４８ｃとが設けられている。受信用データメモリ４８ａは、無線タグ装置１０から送信されたタグデータを一時的に記憶するメモリである。入力編集データメモリ４８ｂは、無線タグ装置１０のタグ装置用タグデータメモリ１８ａにタグデータが記憶されていない場合に、その無線タグ装置１０のタグ装置用タグデータメモリ１８ａに記憶させる作成したタグデータを一時的に記憶するメモリである。変更入力編集データメモリ４８ｃは、無線タグ装置１０のタグ装置用タグデータメモリ１８ａにタグデータが記憶されている場合に、そのタグ装置用タグデータメモリ１８ａに記憶されたタグデータを一部変更したデータを一時的に記憶するメモリである。
【００９０】
受信用データメモリ４８ａには、テンプレートメモリ４８ａ１、文字列メモリ４８ａ２、初めてフラグメモリ４８ａ３およびＩＤデータメモリ４８ａ４が設けられている。テンプレートメモリ４８ａ１は、無線タグ装置１０から送信されたテンプレートを記憶するメモリである。文字列メモリ４８ａ２は、無線タグ装置１０から送信された文字列を記憶するメモリである。タグ用初めてフラグメモリ４８ａ３は、無線タグ装置１０から送信された初めてフラグを記憶するためのメモリである。ＩＤデータメモリ４８ａ４は、無線タグ装置１０から送信された無線タグ装置１０のＩＤやコード等を記憶するメモリである。
【００９１】
例えば、無線タグ装置１０からテンプレートおよび文字列が送信されると、その電波がアンテナ３１に受信され、送受信機５０によりテンプレートおよび文字列が取り出され、その取り出されたテンプレートおよび文字列はバスライン４２を介して入出力ポート４０に出力される。そして、ＣＰＵ４６により、取り出されたテンプレートおよび文字列はバスライン４３を介して、受信用データメモリ４８ａ内のテンプレートメモリ４８ａ１および文字列メモリ４８ａにそれぞれ記憶される。
【００９２】
入力編集データメモリ４８ｂには、テンプレートメモリ４８ｂ１、文字列メモリ４８ｂ２、初めてフラグメモリ４８ｂ３およびＩＤデータメモリ４８ｂ４が設けられている。テンプレートメモリ４８ｂ１は、タグ装置用タグデータメモリ１８ａにタグデータが記憶されていない無線タグ装置１０に送信するテンプレートを記憶するメモリである。文字列メモリ４８ｂ２は、タグ装置用タグデータメモリ１８ａにタグデータが記憶されていない無線タグ装置１０に送信する文字列を記憶するメモリである。初めてフラグメモリ４８ｂ３は、タグ装置用タグデータメモリ１８ａにタグデータが記憶されていない無線タグ装置１０に送信する初めてフラグを記憶するためのメモリである。ＩＤデータメモリ４８ｂ４は、タグ装置用タグデータメモリ１８ａにタグデータが記憶されていない無線タグ装置１０に付与するＩＤやコード等を記憶するメモリである。このように、入力編集データメモリ４８ｂには、無線タグ装置１０のタグ装置用タグデータメモリ１８ａにタグデータが記憶されていない場合に、その無線タグ装置１０のタグ装置用タグデータメモリ１８ａに記憶させるためのタグデータが記憶される。
【００９３】
変更入力編集データメモリ４８ｃには、テンプレートメモリ４８ｃ１、文字列メモリ４８ｃ２、初めてフラグメモリ４８ｃ３およびＩＤデータメモリ４８ｃ４が設けられている。テンプレートメモリ４８ｃ１は、タグ装置用タグデータメモリ１８ａにタグデータが記憶されている無線タグ装置１０に送信する、タグ装置用タグデータメモリ１８ａ内に記憶されたテンプレートが一部変更されたテンプレートを記憶するメモリである。文字列メモリ４８ｃ２は、タグ装置用タグデータメモリ１８ａにタグデータが記憶されている無線タグ装置１０に送信する、タグ装置用タグデータメモリ１８ａ内に記憶された文字列が一部変更された文字列を記憶するメモリである。タグ用初めてフラグメモリ４８ｃ３は、タグ装置用タグデータメモリ１８ａにタグデータが記憶されている無線タグ装置１０に送信する、タグ装置用タグデータメモリ１８ａ内に記憶された初めてフラグの設定が変更された初めてフラグを記憶するためのメモリである。ＩＤデータメモリ４８ｃ４は、タグ装置用タグデータメモリ１８ａにタグデータが記憶されている無線タグ装置１０に送信する、タグ装置用タグデータメモリ１８ａ内に記憶されたＩＤやコード等が変更されたＩＤやコード等を記憶するメモリである。このように、変更入力編集データメモリ４８ｃには、無線タグ装置１０のタグ装置用タグデータメモリ１８ａに記憶されたタグデータを一部変更するためのタグデータが記憶される。
【００９４】
無線タグ装置１０から受信してＲＡＭ４８に記憶されたデータは、キーボード３３の操作により、ディスプレイ３２に表示することができる。例えば、キーボード３３の操作により変更入力編集データメモリ４８ｃ内のテンプレートおよび文字列の読み出し操作が行われたときは、ＣＰＵ４６によりテンプレートメモリ４８ｃ１に記憶されたテンプレートおよび文字列メモリ４８ｃ２に記憶された文字列の読み出し命令が行われ、テンプレートおよび文字列が読み出される。ＣＰＵ４６は読み出されたテンプレートおよび文字列を用いて、ディスプレイ３２にテンプレートおよび文字列の表示を行うように命令する。この命令により、ディスプレイ３２にテンプレートおよび文字列の表示が実行される。更に、ディスプレイ３２に表示されたテンプレートおよび文字列をキーボード３３からの入力によって変更し、その変更したデータをＲＡＭ４８のそれぞれの記憶エリアに記憶することもできる。
【００９５】
フラッシュメモリ４９には、機能カウンタ４９ａと、全テンプレートメモリ４９ｂと、保存用タグデータメモリ４９ｃとが設けられている。機能カウンタ４９ａは、リーダ・ライタ装置３０の有する機能（図４参照）を変更する機能カウンタの値を記憶するメモリである。機能カウンタ４９ａは、操作者により選択された処理を実行するために、各処理に対応した値が記憶され、後述する機能選択処理（図３参照）により０〜３の値が記憶される。
【００９６】
全テンプレートメモリ４９ｂは、無線タグ装置１０が使用することができる全てのテンプレートを記憶するメモリである。保存用タグデータメモリ４９ｃは、無線タグ装置１０に送信したデータおよびリーダ・ライタ装置３０で作成したデータを保存用として記憶するメモリである。この保存用タグデータメモリ４９ｃには、テンプレート、文字列、初めてフラグおよびＩＤデータを無線タグ装置１０毎に纏めたデータが複数記憶されている。よって、タグ装置用タグデータメモリ１８ａに記憶される全てのデータに加え、保存用タグデータメモリ４９ｃに記憶される全てのデータも「タグデータ」と称す。なお、本実施形態では、保存用タグデータメモリ４９ｃには、テンプレート、文字列、初めてフラグおよびＩＤデータを無線タグ装置１０毎に纏めたデータが複数記憶されているが、この保存用タグデータメモリ４９ｃには、初めてフラグを必ずしも記憶させておく必要はなく、初めてフラグを除いたテンプレート、文字列およびＩＤデータを無線タグ装置１０毎に纏めたデータが複数記憶されていても良い。
【００９７】
全テンプレートメモリ４９ｂおよび保存用タグデータメモリ４９ｃに記憶されたデータは、ＲＡＭ４８に記憶されたデータと同様に、ディスプレイ３２に表示することができ、そのディスプレイ３２に表示されたデータを変更することもできる。なお、ディスプレイ３２への表示方法および変更方法は、ＲＡＭ４８の場合と同様であるので、詳細な説明は省略する。
【００９８】
次に、図２（ｃ）を参照して、外部記憶装置６０のハードウェア構成を説明する。外部記憶装置６０は、外部記憶装置用アンテナ６１と、外部記憶装置用ディスプレイ６２と、外部記憶装置用キーボード６３と、外部記憶装置用時計６４と、外部記憶装置用入出力ポート６５と、外部記憶装置用ＣＰＵ６６と、外部記憶装置用ＲＯＭ６７と、外部記憶装置用ＲＡＭ６８と、外部記憶装置用ハードディスクメモリ（以下、「ＨＤＤ」と称す）６９と、外部記憶装置用送受信機７０とを有している。なお、外部記憶装置用時計６４は、現在時刻を計時するものである。
【００９９】
外部記憶装置用送受信機７０は、送信するデータを高周波電流信号に変えて外部記憶装置用アンテナ６１に送り出す送信装置と、外部記憶装置用アンテナ６１が受信した高周波電流信号から必要となるデータを取り出す受信装置とが一体化された装置であり、外部記憶装置用アンテナ６１と信号線７１で接続されている。また、外部記憶装置用送受信機７０は、バスライン７２を介して外部記憶装置用入出力ポート６５と接続されており、受信された高周波電流信号から必要となるデータを取り出した後に、その取り出したデータを外部記憶装置用入出力ポート７０に出力する機能と、外部記憶装置用入出力ポート７０から出力されたデータを受け取る入力機能とを有している。
【０１００】
よって、リーダ・ライタ装置３０からの電波を外部装置用アンテナ６１が受信した場合には、受信した電波を外部装置用アンテナ６１によって高周波電流に変換し、その変換された高周波電流は信号線７１を介して外部装置用送受信機７０に入力される。そして、外部装置用送受信機７０は、入力された高周波電流から必要なデータを取り出し、取り出した必要なデータを、バスライン７２を介して外部装置用入出力ポート６５に出力する。また、外部記憶装置６０からリーダ・ライタ装置３０にデータを送信する場合には、外部装置用入出力ポート６５から入力されたデータをバスライン７２を介して外部装置用送受信機７０が受け取り、その受け取ったデータを高周波電流に変換し、外部装置用アンテナ６１に出力する。出力された高周波電流は外部装置用アンテナ６１により電波に変換され、リーダ・ライタ装置３０に送信される。
【０１０１】
外部装置用ＣＰＵ６６は、バスライン７３により接続された各部を制御する演算装置である。外部装置用ＲＯＭ６７は、外部装置用ＣＰＵ６６により実行される制御プログラムや各種テーブルなどを格納した書き換え不能な不揮発性のメモリである。外部装置用ＲＡＭ６８は、制御プログラムの実行時に利用するデータを一時的に記憶するメモリである。外部装置用ＨＤＤ６９は、リーダ・ライタ装置３０により作成されたデータを記憶する書き換え可能な不揮発性の記憶装置である。なお、外部装置用ＨＤＤ６９に記憶される各種データは、外部装置用入出力ポート６５にバスライン７５を介して接続される外部装置用キーボード６３からの入力により変更可能に構成されている。また、外部装置用ＨＤＤ６９に記憶される各種データは、外部装置用入出力ポート６５に接続されたバスライン７４を介して外部装置用ディスプレイ６２に表示することができる。
【０１０２】
外部装置用ＨＤＤ６９には、保存用タグデータメモリ６９ａが設けられている。この保存用タグデータメモリ６９ａは、無線タグ装置１０に送信したテンプレートおよびリーダ・ライタ装置３０で作成したタグデータを保存用として記憶するメモリである。この保存用タグデータメモリ６９ａには、テンプレート、文字列、初めてフラグおよびＩＤデータを無線タグ装置１０毎に纏めたデータが複数記憶されている。なお、保存用タグデータメモリ６９ａには、無線タグ装置１０に送信したデータ、即ち、タグ装置用タグデータメモリ１８ａに記憶されるデータが記憶されている。よって、タグ装置用タグデータメモリ１８ａに記憶される全てのデータ、保存用タグデータメモリ４９ｃに記憶される全てのデータに加え、保存用タグデータメモリ６９ａに記憶される全てのデータも「タグデータ」と称す。なお、本実施形態では、保存用タグデータメモリ６９ａには、テンプレート、文字列、初めてフラグおよびＩＤデータを無線タグ装置１０毎に纏めたデータが複数記憶されているが、この保存用タグデータメモリ６９ａには、初めてフラグを必ずしも記憶させておく必要はなく、初めてフラグを除いたテンプレート、文字列およびＩＤデータを無線タグ装置１０毎に纏めたデータが複数記憶されていても良い。
【０１０３】
次に、図３及び図４を参照して、リーダ・ライタ装置３０のＣＰＵ４６により実行される機能選択処理について説明する。図３は、リーダ・ライタ装置３０のＣＰＵ４６により実行される機能選択処理を示したフローチャートである。図４は、リーダ・ライタ装置３０の機能カウンタ４９ａに記憶される値と対応する機能処理を示した図である。なお、機能選択処理は、リーダ・ライタ装置３０の機能ボタン３５が操作されると実行され、実行する機能（処理）を選択する処理である。
【０１０４】
まず、図４を参照して、機能カウンタ４９ａの値と、その機能カウンタ４９ａの値に対応した処理について説明する。機能カウンタ４９ａの値が０のときは、リーダ・ライタ装置３０の機能がラベルＩＤ操作処理に設定される。ラベルＩＤ操作処理は、無線タグ装置１０のタグ装置用タグデータメモリ１８ａ内に設けられたＩＤデータメモリ１８ａ４に記憶されるＩＤデータを作成する処理と初めてフラグメモリ１８ａ３に記憶される初めてフラグの設定とを行う処理である。機能カウンタ４９ａの値が１のときは、リーダ・ライタ装置３０の機能が入力編集処理に設定される。入力編集処理は、無線タグ装置１０のタグ装置用タグデータメモリ１８ａにタグデータが記憶されていない場合に、その無線タグ装置１０のタグ装置用タグデータメモリ１８ａに記憶させるタグデータを作成する処理である。機能カウンタ４９ａの値が２のときは、リーダ・ライタ装置３０の機能が変更入力編集処理に設定される。変更入力編集処理は、無線タグ装置１０のタグ装置用タグデータメモリ１８ａにタグデータが記憶されている場合に、そのタグ装置用タグデータメモリ１８ａに記憶されたタグデータを一部変更したタグデータを作成する処理である。機能カウンタ４９ａの値が３のときは、リーダ・ライタ装置３０の機能がラベル書込変更処理に設定される。ラベル書込変更処理は、入力編集処理または変更入力編集処理で作成されたデータを無線タグ装置１０に送信する前に、操作者ＩＤや変更ラベルＩＤ等が正しい設定であるかを確認し、正しく設定されている場合に、入力編集処理または変更入力編集処理で作成されたタグデータを無線タグ装置１０に送信する処理である。
【０１０５】
次に、図３を参照して、機能選択処理について説明する。操作者により機能ボタン３５が操作されて機能選択処理が実行されると、まず、実行可能な機能（処理）の一覧がディスプレイ３２に表示される（Ｓ１）。本実施形態では、上述したように、実行可能な機能処理としては、ラベルＩＤ操作処理、入力編集処理、変更入力編集処理およびラベル書込変更処理があり、この４つの機能がディスプレイ３２に表示される。操作者は、十字ボタン３４と決定ボタン３７とにより、所望の機能を選択することができる。
【０１０６】
次に、Ｓ２〜Ｓ４の処理で、操作者により選択された機能（処理）を判別する。Ｓ２の処理では、操作者により選択された処理がラベルＩＤ操作処理であるか否かが判別され、Ｓ３の処理では、操作者により選択された処理が入力編集処理であるか否かが判別され、Ｓ４の処理では、操作者により選択された処理が変更入力編集処理であるか否かが判別される。
【０１０７】
そして、操作者によってラベルＩＤ操作処理が選択されていれば（Ｓ２：Ｙｅｓ）、機能カウンタ４９ａの値を０に設定して、ディスプレイ３２にラベルＩＤ操作処理が選択されたことを表示する（Ｓ５）。また、操作者によって入力編集処理が選択されていれば（Ｓ２：Ｎｏ、Ｓ３：Ｙｅｓ）、機能カウンタ４９ａの値を１に設定して、ディスプレイ３２に入力編集処理が選択されたことを表示する（Ｓ６）。また、操作者によって変更入力編集処理が選択されていれば（Ｓ２：Ｎｏ、Ｓ３：Ｎｏ、Ｓ４：Ｙｅｓ）、機能カウンタ４９ａの値を２に設定して、ディスプレイ３２に変更入力編集処理が選択されたことを表示する（Ｓ７）。また、操作者によってラベル書込変更処理が選択されていれば（Ｓ２：Ｎｏ、Ｓ３：Ｎｏ、Ｓ４：Ｎｏ）、機能カウンタ４９ａの値を３に設定して、ディスプレイ３２にラベル書込変更処理が選択されたことを表示する（Ｓ９）。なお、リーダ・ライタ装置３０のＣＰＵ４６は、機能カウンタ４９ａの値を参照して、その値に応じた処理を実行する。
【０１０８】
次に、図５を参照して、リーダ・ライタ装置３０のＣＰＵ４６により実行されるラベルＩＤ操作処理について説明する。
【０１０９】
図５は、リーダ・ライタ装置３０のＣＰＵ４６により実行されるラベルＩＤ操作処理を示したフローチャートである。このラベルＩＤ操作処理は、機能選択処理（図３参照）によって、リーダ・ライタ装置３０で実行される機能としてラベルＩＤ操作処理が操作者によって選択された場合に実行される。このラベルＩＤ操作処理は、上述の通り、無線タグ装置１０のタグ装置用タグデータメモリ１８ａ内に設けられたＩＤデータメモリ１８ａ４に記憶されるＩＤデータを作成する処理と初めてフラグメモリ１８ａ３に記憶される初めてフラグの設定とを行う処理である。
【０１１０】
ラベルＩＤ操作処理が実行されると、まず、タグ装置用タグデータメモリ１８ａに記憶されるタグデータを作成する作成者のＩＤを示す作成者コードを設定し（Ｓ１０）、タグ装置用タグデータメモリ１８ａに記憶されるタグデータを書き換える権限が付与された操作者を示す操作者コードを設定する（Ｓ１１）。次に、タグ装置用タグデータメモリ１８ａに記憶されるタグデータの変更を禁止するライトプロテクトの設定を行い（Ｓ１２）、そのライトプロテクトを解除するパスワードを設定し（Ｓ１３）、その他のＩＤ等の設定を行う（Ｓ１４）。このように、ライトプロテクトを設定することができるので、タグ装置用タグデータメモリ１８ａに記憶されるタグデータの意図しない改ざんを防止することができる。
【０１１１】
次に、Ｓ１０〜Ｓ１４の処理で作成したデータを送信する無線タグ装置１０から初めてフラグを取得する（Ｓ１５）。なお、初めてフラグを取得する場合には、リーダ・ライタ装置３０を無線タグ装置１０に近づけることにより、初めてフラグの取得を行う。この場合に、ディスプレイ３２には「リーダ・ライタ装置３０を無線タグ装置１０に近づけてください」とのメッセージを表示して、リーダ・ライタ装置３０を無線タグ装置１０に近づけることを操作者に促す。また、取得された初めてフラグは、受信データメモリ４８ａ内の初めてフラグメモリ４８ａ３に記憶される。
【０１１２】
次に、取得した初めてフラグはオンか否かを判定し（Ｓ１６）、初めてフラグがオンであれば（Ｓ１６：Ｙｅｓ）、Ｓ１５の処理で初めてフラグを取得した無線タグ装置１０は、一定の権限の有無に拘らずに何れの操作者でも、タグ装置用タグデータメモリ１８ａに記憶されたタグデータを書き換えることができるので、このラベルＩＤ操作処理を終了する。
【０１１３】
一方、取得した初めてフラグがオフであれば（Ｓ１６：Ｎｏ）、Ｓ１５の処理で初めてフラグを取得した無線タグ装置１０は、このままでは一定の権限を付与された操作者でなければ、タグ装置用タグデータメモリ１８ａに記憶されたタグデータを書き換えることができないので、受信データメモリ４８ａ内の初めてフラグメモリ４８ａ３に記憶された初めてフラグをオンに設定して（Ｓ１７）、このラベルＩＤ操作処理を終了する。
【０１１４】
なお、Ｓ１６またはＳ１７の処理後、Ｓ１０〜Ｓ１５で作成されたデータは、入力編集データメモリ４８ｂ内のＩＤデータメモリ４８ｂ４および変更入力編集データメモリ４８ｃ内のＩＤデータメモリ４８ｃ４に記憶される。また、受信データメモリ４８ａ内の初めてフラグメモリ４８ａ３に記憶されたオンに設定済みの初めてフラグデータは、入力編集データメモリ４８ｂ内の初めてフラグメモリ４８ｂ３および変更入力編集データメモリ４８ｃ内の初めてフラグメモリ４８ｃ３に記憶される。
【０１１５】
このラベルＩＤ操作処理のＳ１０〜Ｓ１５の処理により、無線タグ装置１０のタグ装置用タグデータメモリ１８ａ内に設けられたＩＤデータメモリ１８ａ４に記憶されるＩＤデータが作成され、Ｓ１７の処理により、タグ装置用タグデータメモリ１８ａ内に設けられた初めてフラグメモリ１８ａ３に記憶される初めてフラグがオンに設定される。
【０１１６】
次に、図６を参照して、リーダ・ライタ装置３０のＣＰＵ４６により実行される入力編集処理について説明する。
【０１１７】
図６は、リーダ・ライタ装置３０のＣＰＵ４６により実行される入力編集処理を示したフローチャートである。この入力編集処理は、機能選択処理（図３参照）によって、リーダ・ライタ装置３０で実行される機能として入力編集処理が操作者によって選択された場合に実行される。この入力編集処理は、上述の通り、無線タグ装置１０のタグ装置用タグデータメモリ１８ａにタグデータが記憶されていない場合に、その無線タグ装置１０のタグ装置用タグデータメモリ１８ａに記憶させるタグデータを作成する処理である。
【０１１８】
入力編集処理が実行されると、まず、入力モードをディスプレイ３２に表示する（Ｓ２０）。Ｓ２０の処理が実行されると、ディスプレイ３２には、入力モードとして、「手動入力モード」、「タグ読込モード」、「リーダ・ライタ装置３０の内部メモリデータ読込モード」および「外部記憶装置６０の内部データ読込モード」の４つを表示する処理が実行される。この処理が実行されると、十字ボタン３４によりカーソル位置を入力モードのいずれか１つに移動させ、決定ボタン３７を操作させて操作者に入力モードを決定させる処理が実行される。そして、この処理で操作者が決定した入力モードを用いて、Ｓ２１以降の処理が実行される。このように、Ｓ２０の処理後には、上述した２つの処理が実行されるが、本実施形態の入力編集処理では、図６の簡略化のため、上述した２つの処理を省略している。なお、以後についても、簡略化のため、操作者による選択を行う処理および操作者による入力を行う処理の図面への記載を省略するものとする。
【０１１９】
Ｓ２０の処理で、手動入力モードが選択されていれば（Ｓ２１：Ｙｅｓ）、全テンプレートメモリ４９ｂに記憶された全てのテンプレートを順次、ディスプレイ３２に表示する（Ｓ２２）。操作者は、十字ボタン３４と決定ボタン３７とを用いて無線タグ装置１０に表示させるテンプレートを選択する。そして、操作者は、選択したテンプレートに無線タグ装置１０に表示させる文字列を入力する。
【０１２０】
次に、選択されたテンプレートに文字列の入力が完了したか否かが判定され（Ｓ２３）、文字列の入力が完了していなければ（Ｓ２３：Ｎｏ）、文字列の入力が完了するまでＳ２３の処理が繰り返し実行される。一方、文字列の入力が完了していれば（Ｓ２３：Ｙｅｓ）、Ｓ３０の処理に移行する。
【０１２１】
Ｓ２０の処理で、タグ読込モードが選択されていれば（Ｓ２１：Ｎｏ、Ｓ２４：Ｙｅｓ）、タグデータの一部であるテンプレートおよび文字列を、流用して使用する対象の無線タグ装置１０から取得する（Ｓ２５）。なお、本実施形態では、Ｓ２５の処理でテンプレートおよび文字列を取得したが、これに限らず、テンプレートおよび文字列に加え、初めてフラグの設定およびＩＤデータを取得しても良い。ここで、テンプレートおよび文字列を取得する場合には、リーダ・ライタ装置３０を無線タグ装置１０に近づけることにより、タグデータの取得を行う。この場合に、ディスプレイ３２には「リーダ・ライタ装置３０を無線タグ装置１０に近づけてください」とのメッセージを表示して、リーダ・ライタ装置３０を無線タグ装置１０に近づけることを操作者に促す。また、取得されたテンプレートおよび文字列は、受信データメモリ４８ａ内の各メモリ４８ａ１，４８ａ２にそれぞれ記憶される。
【０１２２】
そして、操作者は、十字ボタン３４、決定ボタン３７および丸ボタン３８を用いて、無線タグ装置１０に表示させるテンプレートおよび文字列を編集する。次に、取得されたテンプレートおよび文字列の編集が完了したか否かが判定され（Ｓ２６）、テンプレートおよび文字列の編集が完了していなければ（Ｓ２６：Ｎｏ）、文字列の入力が完了するまでＳ２６の処理が繰り返し実行される。一方、テンプレートおよび文字列の編集が完了していれば（Ｓ２６：Ｙｅｓ）、Ｓ３０の処理に移行する。
【０１２３】
Ｓ２０の処理で、リーダ・ライタ装置３０の内部メモリデータ読込モードが選択されていれば（Ｓ２１：Ｎｏ、Ｓ２４：Ｎｏ、Ｓ２７：Ｙｅｓ）、保存用タグデータメモリ４９ｃからタグデータの一部であるテンプレートおよび文字列を取得する（Ｓ２８）。なお、本実施形態では、Ｓ２８の処理でテンプレートおよび文字列を取得したが、これに限らず、テンプレートおよび文字列に加え、初めてフラグの設定およびＩＤデータを取得しても良い。また、取得されたテンプレートおよび文字列は、受信データメモリ４８ａ内の各メモリ４８ａ１，４８ａ２にそれぞれ記憶される。その後、Ｓ２６の処理に移行し、Ｓ２６の処理が完了すると、Ｓ３０の処理に移行する。
【０１２４】
Ｓ２０の処理で、外部記憶装置６０の内部データ読込モードが選択されていれば（Ｓ２１：Ｎｏ、Ｓ２４：Ｎｏ、Ｓ２７：Ｎｏ）、外部記憶装置６０からタグデータの一部であるテンプレートおよび文字列を取得する（Ｓ２９）。なお、本実施形態では、Ｓ２９の処理でテンプレートおよび文字列を取得したが、これに限らず、テンプレートおよび文字列に加え、初めてフラグの設定およびＩＤデータを取得しても良い。また、テンプレートおよび文字列を取得する場合には、リーダ・ライタ装置３０から外部記憶装置６０に送信要求コマンドを送信し、外部記憶装置６０にタグデータを送信させ、送信されたタグデータからテンプレートおよび文字列を抜き出すことにより、テンプレートおよび文字列の取得を行う。取得されたテンプレートおよび文字列は、受信データメモリ４８ａ内の各メモリ４８ａ１，４８ａ２にそれぞれ記憶される。その後、Ｓ２６の処理に移行し、Ｓ２６の処理が完了すると、Ｓ３０の処理に移行する。
【０１２５】
このＳ２１〜Ｓ２９までの処理で作成されるデータについて、図１１を参照して説明する。図１１（ａ）および図１１（ｂ）は、リーダ・ライタ装置３０のディスプレイ３２の表示を図示した図であり、図１１（ｃ）および図１１（ｄ）は、無線タグ装置１０のタグ装置用ディスプレイ１２の表示を図示した図である。なお、Ｓ２１〜Ｓ２９までの処理においては、図１１（ａ）に示すリーダ・ライタ装置３０のディスプレイ３２の表示ができるだけであるので、ここでは、図１１（ａ）についてのみ説明する。
【０１２６】
図１１（ａ）は、リーダ・ライタ装置３０のディスプレイ３２にＳ２１〜Ｓ２９の処理により作成されたデータを表示させた場合を図示している。テンプレートを選択または編集し、更にそのテンプレートの表示領域８１ａ、８１ｂに表示する文字列が編集されると、図１１（ａ）に示すように、表示領域８１ａには「プロジェクトＩ」の文字列が表示され、表示領域８１ｂには「開発部」の文字列が表示される。なお、設定日付領域８１ｃは、この入力編集処理で、テンプレートに文字列を入力または編集した日付を表示する。また、変更日付領域８１ｄは、後述する変更入力編集処理で、テンプレートに表示される文字列の一部を変更した日付を表示する。
【０１２７】
図１１（ａ）では、テンプレートは表示領域８１ａ，８１ｂを２つ備えているが、他のテンプレートを選択すれば、表示領域の合計を３つに変更することや、表示領域の合計を１つに変更することができる。
【０１２８】
このように、Ｓ２１〜Ｓ２９までの処理で作成されるデータをリーダ・ライタ装置３０のディスプレイ３２に表示させると、図１１（ａ）に示す表示となる。なお、このＳ２１〜Ｓ２９までの処理で作成されるデータを、後述するラベル書込変更処理で無線タグ装置１０に送信する。
【０１２９】
図６の説明に戻る。Ｓ３０の処理では、取得されたテンプレートに文字列を入力または編集した日付を入力する設定日付領域８１ｃ（図１１参照）があるか否かが判定される（Ｓ３０）。取得されたテンプレートに文字列を入力または編集した日付を入力する設定日付領域８１ｃがあれば（Ｓ３０：Ｙｅｓ）、リーダ・ライタ装置３０内の時計から日付を取得し、その日付をテンプレートの設定日付領域８１ｃに設定する（Ｓ３１）。一方、取得されたテンプレートに文字列を入力または編集した日付を入力する設定日付領域８１ｃがなければ（Ｓ３０：Ｎｏ）、Ｓ３１の処理をスキップする。
【０１３０】
次に、編集したテンプレートおよび文字列を保存するか否かを判定し（Ｓ３２）、編集したテンプレートおよび文字列を保存する場合には（Ｓ３２：Ｙｅｓ）、編集したテンプレートおよび文字列を保存用タグデータメモリ４９ｃおよび外部記憶装置６０の保存用タグデータメモリ６９ｂに記憶する（Ｓ３３）。そして、Ｓ３４の処理に移行する。このように、編集したテンプレートおよび文字列を保存用タグデータメモリ４９ｃおよび外部記憶装置６０の保存用タグデータメモリ６９ｂに記憶させることで、今後、タグデータを編集する場合に編集したテンプレートおよび文字列を利用することができる。なお、Ｓ３３の処理では、編集したテンプレートおよび文字列を保存用タグデータメモリ４９ｃおよび外部記憶装置６０の保存用タグデータメモリ６９ｂに記憶させたが、編集したテンプレートおよび文字列を、保存用タグデータメモリ４９ｃまたは外部記憶装置６０の保存用タグデータメモリ６９ｂのいずれか一方に記憶させても良い。
【０１３１】
一方、編集したテンプレートおよび文字列を保存しない場合には（Ｓ３２：Ｎｏ）、Ｓ３３の処理をスキップして、Ｓ３４の処理に移行する。Ｓ３４の処理では、編集したテンプレートおよび文字列を入力編集データメモリ４８ｂ内のテンプレートメモリ４８ｂ１および文字列メモリ４８ｂ２にそれぞれ記憶して（Ｓ３４）、この入力編集処理を終了する。
【０１３２】
この入力編集処理により、無線タグ装置１０へ送信するテンプレートおよび文字列を作成し、その作成したテンプレートおよび文字列を、入力編集データメモリ４８ｂ内のテンプレートメモリ４８ｂ１および文字列メモリ４８ｂ２にそれぞれ記憶させることができる。
【０１３３】
次に、図７を参照して、リーダ・ライタ装置３０のＣＰＵ４６により実行される変更入力編集処理について説明する。
【０１３４】
図７は、リーダ・ライタ装置３０のＣＰＵ４６により実行される変更入力編集処理を示したフローチャートである。この変更入力編集処理は、機能選択処理（図３参照）によって、リーダ・ライタ装置３０で実行される機能として変更入力編集処理が操作者によって選択された場合に実行される。この変更入力編集処理は、上述の通り、無線タグ装置１０のタグ装置用タグデータメモリ１８ａにタグデータが記憶されている場合に、そのタグ装置用タグデータメモリ１８ａに記憶されたタグデータを一部変更したタグデータを作成する処理である。
【０１３５】
変更入力編集処理が実行されると、まず、変更モードをディスプレイ３２に表示する（Ｓ４０）。Ｓ４０の処理が実行されると、ディスプレイ３２には、変更モードとして、「手動変更モードの文字列入力モード」、「手動変更モードのテンプレート場所指定モード」、「タグ読込変更モードの文字列指定モード」、「タグ読込変更モードのテンプレート場所指定モード」、「リーダ・ライタ装置３０の内部メモリデータ読込変更モードの文字列指定モード」、「リーダ・ライタ装置３０の内部メモリデータ読込変更モードのテンプレート場所指定モード」、「外部記憶装置６０の内部データ読込変更モードの文字列指定モード」および「外部記憶装置６０の内部データ読込変更モードのテンプレート場所指定モード」の８つを表示する処理が実行される。この処理が実行されると、十字ボタン３４によりカーソル位置を入力モードのいずれか１つに移動させ、決定ボタン３７を操作させて操作者に何れかのモードを決定させる処理が実行される。そして、この処理で操作者が決定したモードを用いて、Ｓ４１以降の処理が実行される。このように、Ｓ４０の処理後には、上述した２つの処理が実行されるが、本実施形態の変更入力編集処理では、図７の簡略化のため、上述した２つの処理を省略している。なお、以後についても、簡略化のため、操作者による選択を行う処理および操作者による入力を行う処理の図面への記載を省略するものとする。
【０１３６】
Ｓ４０の処理で、手動変更モードの文字列入力モードが選択されていれば（Ｓ４１：Ｙｅｓ、Ｓ４２：Ｙｅｓ）、操作者は、無線タグ装置１０に現在表示されている変更前の文字列、および無線タグ装置１０に変更して表示させる変更後の文字列を入力する。そして、変更前の文字列および変更後の文字列の入力が完了したか否かを判定し（Ｓ４３）、入力が完了していなければ（Ｓ４３：Ｎｏ）、変更前の文字列および変更後の文字列の入力が完了するまでＳ４３の処理が繰り返し実行される。一方、変更前の文字列および変更後の文字列の入力が完了していれば（Ｓ４３：Ｙｅｓ）、Ｓ５６の処理に移行する。
【０１３７】
Ｓ４０の処理で、手動変更モードのテンプレート場所指定モードが選択されていれば（Ｓ４１：Ｙｅｓ、Ｓ４２：Ｎｏ）、全テンプレートメモリ４９ｂに記憶された全てのテンプレートをディスプレイ３２に表示する（Ｓ４４）。操作者は、十字ボタン３４と決定ボタン３７とを用いて無線タグ装置１０に現在表示されているテンプレートを選択し、その選択したテンプレートから変更する場所を指定する。なお、Ｓ４４の処理では、全テンプレートメモリ４９ｂに記憶された全てのテンプレートをディスプレイ３２に表示したが、これに限らず、Ｓ４４の処理の前に、外部記憶装置６０と通信を行い、外部記憶装置６０の保存用タグデータメモリ６９ａに記憶されたテンプレートをリーダ・ライタ装置３０に送信させ、その送信されたテンプレートを、全テンプレートメモリ４９ｂに記憶されたテンプレートに加えて、Ｓ４４の処理でディスプレイ３２に表示しても良い。
【０１３８】
そして、選択されたテンプレートから変更する場所の指定が完了したか否かが判定され（Ｓ４５）、変更する場所の指定が完了していなければ（Ｓ４５：Ｎｏ）、変更する場所の指定が完了するまでＳ４５の処理が繰り返し実行される。一方、変更する場所の指定が完了していれば（Ｓ４５：Ｙｅｓ）、操作者は、テンプレートの指定した場所に無線タグ装置１０に変更して表示させる文字列を入力する。そして、指定された場所への文字列の入力が完了したか否かが判定される（Ｓ４６）。指定された場所への文字列の入力が完了していなければ（Ｓ４６：Ｎｏ）、指定された場所への文字列の入力が完了するまでＳ４６の処理が繰り返し実行される。一方、指定された場所への文字列の入力が完了していれば（Ｓ４６：Ｙｅｓ）、Ｓ５６の処理に移行する。
【０１３９】
Ｓ４０の処理で、タグ読込変更モードの文字列指定モードまたはタグ読込変更モードのテンプレート場所指定モードが選択されていれば（Ｓ４１：Ｎｏ、Ｓ４７：Ｙｅｓ）、変更対象の無線タグ装置１０からタグデータの一部であるテンプレートおよび文字列を取得する（Ｓ４８）。なお、本実施形態では、Ｓ４８の処理でテンプレートおよび文字列を取得したが、これに限らず、テンプレートおよび文字列に加え、初めてフラグの設定およびＩＤデータを取得しても良い。また、取得されたテンプレートおよび文字列は、受信データメモリ４８ａ内の各メモリ４８ａ１，４８ａ２にそれぞれ記憶される。このように、リーダ・ライタ装置３０が使用するタグデータを変更対象の無線タグ装置１０から取得することで、変更対象の無線タグ装置１０に記憶されたタグデータを利用することができる。
【０１４０】
次に、Ｓ４０の処理で、タグ読込モード、リーダ・ライタ装置３０の内部メモリデータ読込モード、または外部記憶装置６０の内部データ読込モードのいずれかの文字列入力モードが選択されたか否かが判定され（Ｓ４９）、いずれかの文字列入力モードが選択されていれば（Ｓ４９：Ｙｅｓ）、無線タグ装置１０に現在表示されている変更前のテンプレートおよび文字列は、既に受信データメモリ４８ａ内のテンプレートメモリ４８ａ１および文字列メモリ４８ａ２にそれぞれ記憶されているので、その記憶された文字列から、操作者は、変更する場所に該当する文字列を指定する。そして、変更する場所に該当する文字列の指定が完了したか否かを判定し（Ｓ４９ａ）、変更する場所に該当する文字列の指定が完了していなければ（Ｓ４９ａ：Ｎｏ）、変更する場所に該当する文字列の指定が完了するまで、Ｓ４９ａの処理が繰り返し実行される。一方、変更する場所に該当する文字列の指定が完了していれば（Ｓ４９ａ：Ｙｅｓ）、操作者は、無線タグ装置１０に変更して表示させる変更後の文字列を入力する。そして、変更後の文字列の入力が完了したか否かを判定し（Ｓ５５）、入力が完了していなければ（Ｓ５５：Ｎｏ）、変更後の文字列の入力が完了するまでＳ５５の処理が繰り返し実行される。一方、変更後の文字列の入力が完了していれば（Ｓ５５：Ｙｅｓ）、Ｓ５６の処理に移行する。
【０１４１】
Ｓ４９の処理で、タグ読込変更モード、リーダ・ライタ装置３０の内部メモリデータ読込変更モード、または外部記憶装置６０の内部データ読込変更モードのいずれかの文字列指定モードが選択されていなければ、即ち、タグ読込変更モード、リーダ・ライタ装置３０の内部メモリデータ読込変更モード、または外部記憶装置６０の内部データ読込変更モードのいずれかのテンプレート場所指定モードが選択されていれば（Ｓ４９：Ｎｏ）、無線タグ装置１０に現在表示されている変更前のテンプレートおよび文字列は、既に受信データメモリ４８ａ内のテンプレートメモリ４８ａ１および文字列メモリ４８ａ２にそれぞれ記憶されているので、操作者は、その記憶されたテンプレートから変更する場所を指定する。
【０１４２】
そして、選択されたテンプレートから変更する場所の指定が完了したか否かが判定され（Ｓ５０）、変更する場所の指定が完了していなければ（Ｓ５０：Ｎｏ）、変更する場所の指定が完了するまでＳ５０の処理が繰り返し実行される。一方、変更する場所の指定が完了していれば（Ｓ５０：Ｙｅｓ）、操作者は、テンプレートの指定した場所に無線タグ装置１０に変更して表示させる文字列を入力する。そして、指定された場所への文字列の入力が完了したか否かが判定される（Ｓ５１）。指定された場所への文字列の入力が完了していなければ（Ｓ５１：Ｎｏ）、指定された場所への文字列の入力が完了するまでＳ５１の処理が繰り返し実行される。一方、指定された場所への文字列の入力が完了していれば（Ｓ５１：Ｙｅｓ）、Ｓ５６の処理に移行する。このように、選択されたテンプレートから変更する場所の指定を操作者に行わせることで、変更する場所の選択誤りを低減させることができる。
【０１４３】
Ｓ４０の処理で、リーダ・ライタ装置３０の内部メモリデータ読込変更モードの文字列指定モードまたはタグ読込変更モードのテンプレート場所指定モードが選択されていれば（Ｓ４１：Ｎｏ、Ｓ４７：Ｎｏ、Ｓ５２：Ｙｅｓ）、保存用タグデータメモリ４９ｃからタグデータの一部であるテンプレートおよび文字列を取得する（Ｓ５３）。なお、本実施形態では、Ｓ５３の処理でテンプレートおよび文字列を取得したが、これに限らず、テンプレートおよび文字列に加え、初めてフラグの設定およびＩＤデータを取得しても良い。また、取得されたテンプレートおよび文字列は、受信データメモリ４８ａ内の各メモリ４８ａ１，４８ａ２にそれぞれ記憶される。その後、Ｓ４９〜Ｓ５１、Ｓ５５の処理に移行し、Ｓ４９〜Ｓ５１、Ｓ５５の処理が完了すると、Ｓ５６の処理に移行する。
【０１４４】
Ｓ４０の処理で、外部記憶装置６０の内部データ読込変更モードの文字列指定モードまたはタグ読込変更モードのテンプレート場所指定モードが選択されていれば（Ｓ４１：Ｎｏ、Ｓ４７：Ｎｏ、Ｓ５２：Ｎｏ）、外部記憶装置６０からタグデータの一部であるテンプレートおよび文字列を取得する（Ｓ５４）。なお、本実施形態では、Ｓ２８の処理でテンプレートおよび文字列を取得したが、これに限らず、テンプレートおよび文字列に加え、初めてフラグの設定およびＩＤデータを取得しても良い。また、取得されたテンプレートおよび文字列は、受信データメモリ４８ａ内の各メモリ４８ａ１，４８ａ２にそれぞれ記憶される。その後、Ｓ４９〜Ｓ５１、Ｓ５５の処理に移行し、Ｓ４９〜Ｓ５１、Ｓ５５の処理が完了すると、Ｓ５６の処理に移行する。このように、リーダ・ライタ装置３０が使用するテンプレートおよび文字列を外部記憶装置６０から取得することで、外部記憶装置６０に記憶されたテンプレートおよび文字列を利用することができる。
【０１４５】
このＳ４１〜Ｓ５５までの処理で作成されるデータについて、図１１（ａ）〜図１１（ｄ）を参照して説明する。なお、上述した通り、図１１（ａ）および図１１（ｂ）は、リーダ・ライタ装置３０のディスプレイ３２の表示を、図１１（ｃ）および図１１（ｄ）は、無線タグ装置１０のタグ装置用ディスプレイ１２の表示を図示している。
【０１４６】
図１１（ｃ）は、無線タグ装置１０のタグ装置用ディスプレイ１２の現在の表示を図示している。この表示を行うテンプレートおよび文字列を、無線タグ装置１０のタグ装置用タグデータメモリ１８ａ、リーダ・ライタ装置３０の保存用タグデータメモリ４９ｃまたは外部記憶装置６０の保存用タグデータメモリ６９ｂから取得すると、リーダ・ライタ装置３０のディスプレイ３２には、図１１（ａ）の表示が行われる。
【０１４７】
次に、図１１（ｃ）に示す無線タグ装置１０のタグ装置用ディスプレイ１２の表示領域８４ｂに現在表示されている「開発部」の文字列を、図１１（ｄ）に示す「設計部」に変更したい場合には、リーダ・ライタ装置３０のディスプレイ３２の表示領域８１ｂに表示された「開発」の文字列を、手動で入力するか、取得した文字列から変更する場所に該当する文字列を指定するか、またはテンプレートの変更する場所として指定する。
【０１４８】
すると、図１１（ｂ）に示すように、文字列を指定した場合には、表示領域８１ｂの「開発」の文字列が網掛け領域８２となる。そして、変更後の文字列として「設計」を入力し、変更後のテンプレートおよび文字列を後述するラベル書込変更処理で無線タグ装置１０に送信すると、図１１（ｄ）に示すように、無線タグ装置１０の表示領域８４ｂは、「開発部」から「設計部」となる。このようにして、無線タグ装置１０のタグ装置用ディスプレイ１２に表示された文字列を一部だけ変更することができる。なお、表示領域８１ｂに表示される変更前の「開発」の文字列を網掛け領域８２とする事により、変更される文字列「開発」を操作者に視認し易くすることができる。
【０１４９】
図７の説明に戻る。Ｓ４０〜Ｓ５５の処理が終わると、文字列メモリ１８ａ２に記憶された文字列の変更範囲を設定する変更ラベルＩＤの設定が選択されたか否かが判定される（Ｓ５６）。この変更ラベルＩＤの設定の選択は、Ｓ５６の処理の前にディスプレイ３２に「変更ラベルＩＤの設定を行いますか？」と表示して、操作者に決定ボタン３７を操作させて選択させる。変更ラベルＩＤの設定が選択されていれば（Ｓ５６：Ｙｅｓ）、変更ラベルＩＤの取得先一覧をディスプレイ３２に表示する（Ｓ５７）。この処理でディスプレイ３２に表示される変更ラベルＩＤの取得先一覧は、「無線タグ装置１０」、「リーダ・ライタ装置３０」および「外部記憶装置６０」である。
【０１５０】
Ｓ５７の処理で、無線タグ装置１０が選択された場合には（Ｓ５８：Ｙｅｓ）、無線タグ装置１０のタグ装置用タグデータメモリ１８ａ内のＩＤデータメモリ１８ａ４から変更ラベルＩＤを取得する（Ｓ５９）。その後、Ｓ６３の処理に移行する。このように、リーダ・ライタ装置３０が使用する変更ラベルＩＤを変更対象の無線タグ装置１０から取得することで、変更対象の無線タグ装置１０に記憶された変更ラベルＩＤを利用することができる。
【０１５１】
Ｓ５７の処理で、リーダ・ライタ装置３０が選択された場合には（Ｓ５８：Ｎｏ、Ｓ６０：Ｙｅｓ）、リーダ・ライタ装置３０の保存用タグデータメモリ４９ｃ内のＩＤデータメモリ４９ｃ４から変更ラベルＩＤを取得する（Ｓ６１）。その後、Ｓ６３の処理に移行する。
【０１５２】
Ｓ５７の処理で、外部記憶装置６０が選択された場合には（Ｓ５８：Ｎｏ、Ｓ６０：Ｎｏ）、外部記憶装置６０の保存用タグデータメモリ６９ｂ内のＩＤデータメモリ６９ｂ４から変更ラベルＩＤを取得する（Ｓ６２）。その後、Ｓ６３の処理に移行する。このように、リーダ・ライタ装置３０が使用する変更ラベルＩＤを外部記憶装置６０から取得することで、外部記憶装置６０に記憶された変更ラベルＩＤを利用することができる。
【０１５３】
Ｓ５６の処理で、変更ラベルＩＤの設定が選択されていなければ（Ｓ５６：Ｎｏ）、Ｓ５６〜Ｓ６２の処理をスキップして、Ｓ６３の処理に移行する。
【０１５４】
Ｓ６３の処理では、取得されたテンプレートに文字列を変更した日付を入力する変更日付領域８１ｄがあるか否かが判定される（Ｓ６３）。取得されたテンプレートに文字列を変更した日付を入力する変更日付領域８１ｄがあれば（Ｓ６３：Ｙｅｓ）、リーダ・ライタ装置３０内の時計から日付を取得し、その日付をテンプレートの変更日付領域８１ｄに設定する（Ｓ６４）。そして、Ｓ６５の処理に移行する。一方、取得されたテンプレートに文字列を変更した日付を入力する変更日付領域８１ｄがなければ（Ｓ６３：Ｎｏ）、Ｓ６４の処理をスキップして、Ｓ６５の処理に移行する。なお、変更日付領域８１ｄに設定された日付は、図１１（ｄ）に示すように、無線タグ装置１０の変更日付領域８４ｄに設定される。また、設定日付領域８１ｃに設定された日付も同様に、図１１（ｃ）、（ｄ）に示すように、無線タグ装置１０の設定日付領域８４ｃに設定される。なお、変更日付領域８１ｃおよび変更日付領域８１ｄに入力されるのは、日付に限定されるものではなく、日付に加えて時間も入力できるように構成しても良い。
【０１５５】
Ｓ６５の処理では、変更したテンプレートおよび文字列を変更入力編集データメモリ４８ｃ内のテンプレートメモリ４８ｃ１および文字列メモリ４８ｃ２にそれぞれ記憶すると共に、取得した変更ラベルＩＤを変更入力編集データメモリ４８ｃ内のＩＤデータメモリ４８ｃ４に記憶して（Ｓ６５）、この変更入力編集処理を終了する。
【０１５６】
この変更入力編集処理により、無線タグ装置１０のタグ装置用タグデータメモリ１８ａにタグデータが記憶されている場合に、そのタグ装置用タグデータメモリ１８ａ内のテンプレートメモリ１８ａ１および文字列メモリ１８ａ２に記憶されたデータを一部変更するデータを作成し、変更入力編集データメモリ４８ｃ内のテンプレートメモリ４８ｃ１および文字列メモリ４８ｃ２にそれぞれ記憶させることができる。また、変更入力編集処理により、文字列メモリ１８ａ２に記憶された文字列の変更範囲を設定する変更ラベルＩＤの設定を行うか否かを選択し、変更ラベルＩＤを設定する場合には、その変更ラベルＩＤを変更入力編集データメモリ４８ｃ内のＩＤデータメモリ４８ｃ４に記憶させることができる。
【０１５７】
なお、変更入力編集処理では、変更したテンプレート、変更した文字列および取得した変更ラベルＩＤをリーダ・ライタ装置３０の変更入力編集データメモリ４８ｃにそれぞれ記憶したが、変更入力編集データメモリ４８ｃに記憶させることに加え、変更したテンプレート、変更した文字列および取得した変更ラベルＩＤを外部記憶装置６０の保存用タグデータメモリ６９ｂに記憶させても良い。外部記憶装置６０の保存用タグデータメモリ６９ｂに変更したテンプレート、変更した文字列および取得した変更ラベルＩＤを記憶させることにより、複数の変更入力編集処理を予め完了させておくことができる。そして、変更入力編集処理終了後、変更対象の無線タグ装置１０が配置された場所に移動し、その場所で、外部記憶装置６０の保存用タグデータメモリ６９ｂからリーダ・ライタ装置３０を用いて、複数の変更したテンプレート、変更した文字列および取得した変更ラベルＩＤを取得すれば、変更対象の無線タグ装置１０が配置された場所での作業時間の短縮が可能となる。
【０１５８】
次に、図８を参照して、リーダ・ライタ装置３０のＣＰＵ４６により実行されるラベル書込変更処理について説明する。図８は、リーダ・ライタ装置３０のＣＰＵ４６により実行されるラベル書込変更処理を示したフローチャートである。このラベル書込変更処理は、機能選択処理（図３参照）によって、リーダ・ライタ装置３０で実行される機能としてラベル書込変更処理が操作者によって選択された場合に実行される。このラベル書込変更処理は、上述の通り、入力編集処理または変更入力編集処理で作成されたデータを無線タグ装置１０に送信する前に、操作者ＩＤや変更ラベルＩＤ等が正しい設定であるかを確認し、正しく設定されている場合に、入力編集処理または変更入力編集処理で作成されたデータを無線タグ装置１０に送信する処理である。
【０１５９】
ラベル書込変更処理が実行されると、まず、操作者コードおよびパスワードの入力を促すメッセージをディスプレイ３２に表示し、操作者コードおよびパスワードの入力が完了したか否かを判定する（Ｓ７０）。Ｓ７０の処理が実行されると、ディスプレイ３２には、操作者コードおよびパスワードの入力を促すメッセージを表示する処理が実行される。この処理が実行されると、丸ボタン３８を操作させて、操作者コードおよびパスワードを操作者に入力させる処理が実行される。そして、この処理で操作者が入力した操作者コードおよびパスワードを用いて、Ｓ７１以降の処理が実行される。このように、Ｓ７０の処理後には、上述した２つの処理が実行されるが、本実施形態のラベル書込変更処理では、図８の簡略化のため、上述した２つの処理を省略している。なお、以後についても、簡略化のため、操作者による選択を行う処理および操作者による入力を行う処理の図面への記載を省略するものとする。
【０１６０】
操作者コードおよびパスワードの入力が完了していなければ（Ｓ７０：Ｎｏ）、操作者コードおよびパスワードの入力が完了するまでＳ７０の処理を繰り返し実行する。一方、操作者コードおよびパスワードの入力が完了していれば（Ｓ７０：Ｙｅｓ）、変更対象の無線タグ装置１０にタグデータを送信させる送信要求コマンドを送信する（Ｓ７２）。なお、Ｓ７０の処理で入力された操作者コードおよびパスワードは、それぞれＲＡＭ４８に記憶される。
【０１６１】
次に、変更対象の無線タグ装置１０のテンプレートおよび文字列の全部を書き換える「書込」、または、変更対象の無線タグ装置１０のテンプレートおよび文字列の一部を変更する「変更」のいずれかの選択を促すメッセージをディスプレイ３２に表示し、「書込」、または「変更」のいずれかが操作者により選択されたか否かが判定される（Ｓ７１）。変更対象の無線タグ装置１０のテンプレートおよび文字列の全部を書き換える「書込」、または、変更対象の無線タグ装置１０のテンプレートおよび文字列の一部を書き換える「変更」のいずれかが選択されていなければ（Ｓ７１：Ｎｏ）、「書込」または「変更」のいずれか一方の入力が完了するまでＳ７１の処理を繰り返し実行する。一方、「書込」または「変更」のいずれか一方の入力が完了していれば（Ｓ７１：Ｙｅｓ）、変更対象の無線タグ装置１０にタグデータを送信させる送信要求コマンドを送信する（Ｓ７２）。なお、Ｓ７１の処理で入力された「書込」または「変更」のいずれか一方の選択は、ＲＡＭ４８に記憶される。
【０１６２】
次に、変更対象の無線タグ装置１０から送信されたタグデータを受信し（Ｓ７３）、受信したタグデータを受信データメモリ４８ａに記憶する。そして、受信データメモリ４８ａに記憶されたタグデータを確認し、タグデータは正常に受信できたか否かを判定する（Ｓ７４）。タグデータが正常に受信されていなければ（Ｓ７４：Ｎｏ）、ディスプレイ３２にエラーの表示を行い（Ｓ７５）、Ｓ８５の処理に移行する。
【０１６３】
一方、タグデータが正常に受信されていれば（Ｓ７４：Ｙｅｓ）、変更対象の無線タグ装置１０から受信した初めてフラグの設定はオンか否かが判定される（Ｓ７６）。この判定は、受信データメモリ４８ａ内の初めてフラグメモリ４８ａ３の初めてフラグを確認することで行われる。変更対象の無線タグ装置１０から受信した初めてフラグの設定がオフであれば（Ｓ７６：Ｎｏ）、変更対象の無線タグ装置１０のタグ装置用タグデータメモリ１８ａにタグデータが記憶されているので、変更対象の無線タグ装置１０から受信したＩＤデータ内に変更ラベルＩＤが設定されているか否かが判定される（Ｓ７７）。
【０１６４】
変更対象の無線タグ装置１０に変更ラベルＩＤが設定されていれば（Ｓ７７：Ｙｅｓ）、変更対象の無線タグ装置１０の文字列メモリ１８ａ２に記憶された文字列の変更範囲が変更ラベルＩＤにより設定されているので、受信したＩＤデータ内の変更ラベルＩＤは、リーダ・ライタ装置３０で設定された変更ラベルＩＤと同一か否かが判定される（Ｓ７８）。この判定は、受信データメモリ４８ａ内のＩＤデータメモリ４８ａ４に記憶された変更ラベルＩＤと、入力編集データメモリ４８ｂのＩＤデータメモリ４８ｂ４および変更入力編集データメモリ４８ｃのＩＤデータメモリ４８ｃ４とを比較することにより行われる。
【０１６５】
受信したＩＤデータ内の変更ラベルＩＤが、リーダ・ライタ装置３０で設定された変更ラベルＩＤと異なっていれば（Ｓ７８：Ｎｏ）、変更対象の無線タグ装置１０の文字列メモリ１８ａ２に記憶された文字列を変更する権限がないので、ディスプレイ３２にエラーの表示を行い（Ｓ７５）、Ｓ８５の処理に移行する。一方、受信したＩＤデータ内の変更ラベルＩＤが、リーダ・ライタ装置３０で設定された変更ラベルＩＤと同一であれば（Ｓ７８：Ｙｅｓ）、変更対象の無線タグ装置１０の文字列メモリ１８ａ２に記憶された文字列を変更する権限があるのでＳ７９以降の処理に移行する。また、変更対象の無線タグ装置１０に変更ラベルＩＤが設定されていなければ（Ｓ７７：Ｎｏ）、Ｓ７８の処理をスキップして、Ｓ７９以降の処理に移行する。このように、変更ラベルＩＤが同一でなければ、エラー表示を行い、リーダ・ライタ装置３０のＲＡＭ４８に記憶されたデータを変更対象の無線タグ装置１０に送信しない。よって、変更対象でない無線タグ装置１０にリーダ・ライタ装置３０からデータが誤って送信されることを防止することができる。
【０１６６】
次に、変更対象の無線タグ装置１０から受信したＩＤデータ内にライトプロテクトが設定されているか否かが判定される（Ｓ７９）。この判定は、受信データメモリ４８ａ内のＩＤデータメモリ４８ａ４に記憶されたライトプロテクトの設定を確認することで行われる。変更対象の無線タグ装置１０から受信したＩＤデータ内にライトプロテクトが設定されていれば（Ｓ７９：Ｙｅｓ）、Ｓ７０の処理で入力された操作者コードはライトプロテクトを解除する権限のものか否かが判定される（Ｓ８０）。なお、この判定は、Ｓ７０で入力された操作者コードをＲＡＭ４８から読み出して、受信データメモリ４８ａ内のＩＤデータメモリ４８ａ４に記憶されたライトプロテクトの設定と比較することにより行われる。具体的には、Ｓ８０の処理は、Ｓ７０で入力された操作者コードと、ライトプロテクトを解除する権限のある操作者コードとが一致しているか否かで判定を行っている。
【０１６７】
Ｓ７０の処理で入力された操作者コードはライトプロテクトを解除する権限のものでなければ（Ｓ８０：Ｎｏ）、Ｓ７０で入力されたパスワードはライトプロテクトを解除する権限のものか否かが判定される（Ｓ８１）。なお、この判定は、Ｓ７０で入力されたパスワードをＲＡＭ４８から読み出して、受信データメモリ４８ａ内のＩＤデータメモリ４８ａ４に記憶されたライトプロテクトの設定と比較することにより行われる。具体的には、Ｓ８１の処理は、Ｓ７０で入力されたパスワードと、ライトプロテクトを解除する権限のあるパスワードとが一致しているか否かで判定を行っている。
【０１６８】
Ｓ７０で入力されたパスワードはライトプロテクトを解除する権限のものでなければ（Ｓ８１：Ｎｏ）、ディスプレイ３２にエラーの表示を行い（Ｓ７５）、Ｓ８５の処理に移行する。一方、Ｓ７０で入力されたパスワードはライトプロテクトを解除する権限のものであれば（Ｓ８１：Ｙｅｓ）、送信処理（Ｓ８２）に移行する。なお、変更対象の無線タグ装置１０から受信したＩＤデータ内にライトプロテクトが設定されていない場合（Ｓ７９：Ｎｏ）、およびＳ７０の処理で入力された操作者コードはライトプロテクトを解除する権限のものである場合にも（Ｓ８０：Ｙｅｓ）、送信処理（Ｓ８２）に移行する。
【０１６９】
Ｓ７６の処理で、変更対象の無線タグ装置１０から受信した初めてフラグの設定がオンであれば（Ｓ７６：Ｙｅｓ）、Ｓ７１の処理で「変更」が選択されたか否かが判定され（Ｓ８３）、「変更」が選択されていれば（Ｓ８３：Ｙｅｓ）、変更対象の無線タグ装置１０の初めてフラグがオンに設定されており（７５：Ｙｅｓ）、変更対象の無線タグ装置１０のタグ装置用タグデータメモリ１８ａにタグデータが記憶されていないので、変更対象の無線タグ装置１０のテンプレートおよび文字列の一部を変更することができない。よって、ディスプレイ３２にエラーの表示を行い（Ｓ７５）、Ｓ８５の処理に移行する。一方、Ｓ７１の処理で「変更」が選択されていなければ、即ち、Ｓ７１の処理で「書込」が選択されていれば（Ｓ８３：Ｎｏ）、送信処理（Ｓ８２）に移行する。
【０１７０】
ここで、図９を参照して、送信処理（Ｓ８２）について説明する。図９は、リーダ・ライタ装置３０のＣＰＵ４６により実行される送信処理を示したフローチャートである。送信処理では、まずＳ７１の処理で選択されたのは「変更」か否かが判定される（Ｓ９０）。なお、この判定は、Ｓ７１の処理でＲＡＭ４８に記憶された「書込」または「変更」のいずれか一方の選択を読み出して行う。Ｓ７１の処理で選択されたのは「変更」でない、即ち、Ｓ７１の処理で選択されたのは「書込」であれば（Ｓ９０：Ｎｏ）、入力編集データメモリ４８ｂに記憶されたタグデータを書込コマンドと共に送信する（Ｓ９１）。
【０１７１】
一方、Ｓ７１の処理で選択されたのは「変更」であれば（Ｓ９０：Ｙｅｓ）、変更対象の無線タグ装置１０からタグデータを受信し（Ｓ９２）、受信データメモリ４８ａに記憶する。そして、受信データメモリ４８ａに記憶されたテンプレートまたは文字列は、変更入力編集データメモリ４８ｂに記憶された編集前のテンプレートまたは文字列と同一か否かが判定される（Ｓ９３）。受信データメモリ４８ａに記憶されたテンプレートまたは文字列が、変更入力編集データメモリ４８ｂに記憶された編集前のテンプレートまたは文字列と同一であれば（Ｓ９３：Ｙｅｓ）、変更対象の無線タグ装置１０のタグデータの一部変更が正しく実行できるので、変更入力編集データメモリ４８ｃに記憶されたタグデータを変更コマンドと共に送信する（Ｓ９４）。一方、受信データメモリ４８ａに記憶されたテンプレートまたは文字列が、変更入力編集データメモリ４８ｂに記憶された編集前のテンプレートまたは文字列と同一でなければ（Ｓ９３：Ｎｏ）、変更対象の無線タグ装置１０のタグデータの一部変更が正しく実行できないので、この送信処理を終了する。
【０１７２】
Ｓ９１の処理またはＳ９４の処理が終了すると、変更対象の無線タグ装置１０の電界強度は一定値以上か否かが判定される（Ｓ９５）。ここで、変更対象の無線タグ装置１０の電界強度が一定値であるか否かは、変更対象の無線タグ装置１０に受信した電波の電界強度を測定するセンサが設けられているので、そのセンサを用いて測定した電界強度がリーダ・ライタ装置３０へ送信されることにより判定することができる。なお、電界強度が一定値とは、変更対象の無線タグ装置１０とリーダ・ライタ装置３０とが正常に通信を行うことができる値である。
【０１７３】
変更対象の無線タグ装置１０の電界強度は一定値未満であれば（Ｓ９５：Ｎｏ）、変更対象の無線タグ装置１０とリーダ・ライタ装置３０とが正常に通信を行えていない可能性があるので、「リーダ・ライタ装置３０を変更対象の無線タグ装置１０に近づけて下さい」とディスプレイ３２に表示して、変更対象の無線タグ装置１０とリーダ・ライタ装置３０との再度の通信を促し、この送信処理を終了する。一方、変更対象の無線タグ装置１０との電界強度は一定値以上であれば（Ｓ９５：Ｙｅｓ）、この送信処理を終了する。
【０１７４】
上述の通り、通信処理より、リーダ・ライタ装置３０は、入力編集データメモリ４８ｂまたは変更入力編集データメモリ４８ｃに記憶されたタグデータのいずれか一方を選択して変更対象の無線タグ装置１０に送信することができる。また、リーダ・ライタ装置３０と変更対象の無線タグ装置１０との通信が正常に行われない可能性がある場合には（変更対象の無線タグ装置１０の電界強度が一定値未満である場合には）、ディスプレイ３２にメッセージを表示して、変更対象の無線タグ装置１０とリーダ・ライタ装置３０との再度の通信を促すことができる。
【０１７５】
図８の説明に戻る。Ｓ７５、Ｓ８２またはＳ８４の処理が終了すると、終了が選択されたか否かが判定される（Ｓ８５）。このＳ８５の判定では、まずＳ７５、Ｓ８２またはＳ８４の処理が終了した場合に、ディスプレイ３２に「終了？」の表示を行い、操作者に終了するか否かの問い合わせをする。次に、操作者が十字キー３４や決定キー３７を用いて問い合わせに対する応答を入力することにより、Ｓ８５の判定が行われる。
【０１７６】
終了が選択されていなければ（Ｓ８５：Ｎｏ）、Ｓ７１の処理に戻り、終了が選択されるまで、Ｓ７１〜Ｓ８５の処理が繰り返し実行される。このＳ７１〜Ｓ８５の処理が繰り返し実行されている場合には、即ち、終了が選択されない場合には（Ｓ８５：Ｎｏ）、変更対象となる各無線タグ装置１０にリーダ・ライタ装置３０を順次近づけることにより、変更対象の各無線タグ装置１０のそれぞれにタグデータを送信することができる。よって、変更対象となる各無線タグ装置１０が複数ある場合でも、その各無線タグ装置１０にリーダ・ライタ装置３０を順次近づけるだけで、各無線タグ装置１０のタグ装置用データメモリ１８ａに記憶された文字列が順次変更され、各無線タグ装置１０のタグ装置用ディスプレイ１２に表示される文字列の一部を簡単に変更することができる。なお、終了が選択されていれば（Ｓ８５：Ｙｅｓ）、このラベル書込変更処理を終了する。
【０１７７】
上述の通り、ラベル書込変更処理によれば、リーダ・ライタ装置３０は、入力編集処理または変更入力編集処理で作成されたデータ（入力編集データメモリ４８ｂまたは変更入力編集データメモリ４８ｃに記憶されたタグデータ）を無線タグ装置１０に送信する前に、操作者ＩＤや変更ラベルＩＤ等が正しい設定であるかを確認することができる。また、リーダ・ライタ装置３０は、操作者ＩＤや変更ラベルＩＤ等が正しく設定されている場合に、入力編集処理または変更入力編集処理で作成されたデータを無線タグ装置１０に送信することができる。
【０１７８】
なお、本実施形態のラベル書込変更処理では、Ｓ７０の処理で、操作者コードおよびパスワードの入力が完了した場合に（Ｓ７０：Ｙｅｓ）、Ｓ７１以降の処理に移行したが、これに限られるものではない。例えば、ラベルＩＤ操作処理（図５）のＳ１１で操作者コードを設定せず、Ｓ１２の処理でライトプロテクトの設定を行わず、更には、Ｓ１３の処理でパスワードを設定しない場合には、図８に示すラベル書込変更処理で、Ｓ７０の処理と、Ｓ７９〜Ｓ８１の処理とをスキップすることができる。この場合、まず、Ｓ７１の処理が実行され、次にＳ７２〜Ｓ７８の処理が実行される。そして、Ｓ７８の処理で「Ｙｅｓ」と判定されると、ライトプロテクトの設定、ライトプロテクトを解除する操作者コードの確認およびライトプロテクトを解除するパスワードの確認を行わずに（Ｓ７９〜Ｓ８１の処理を行わずに）、送信処理（Ｓ８２）に移行することができる。このように、ラベルＩＤ操作処理（図５）のＳ１１の処理で操作者コードを設定せず、Ｓ１２の処理でライトプロテクトの設定を行わず、更には、Ｓ１３の処理でパスワードを設定しない場合には、それに合わせ、ラベル書込変更処理（図８）でＳ７０の処理と、Ｓ７９〜Ｓ８１の処理とをスキップすることができるので、ラベル書込変更処理を簡略化することができる。また、操作者コードやパスワードの入力を不要として、送信処理（Ｓ８２）を実行することができるので、いずれの操作者でも、無線タグ装置１０のタグ装置用データメモリ１８ａに記憶されたタグデータを変更することができる。
【０１７９】
次に、図１０を参照して、無線タグ装置１０のタグ装置用ＣＰＵ１５により実行される応答処理について説明する。図１０は、無線タグ装置１０のタグ装置用ＣＰＵ１５により実行される応答処理を示したフローチャートである。この応答処理は、リーダ・ライタ装置３０から送信されたデータがタグ装置用アンテナ１１により受信された場合に実行される。この応答処理は、タグ装置用タグデータメモリ１８ａに記憶されたタグデータをリーダ・ライタ装置３０に送信する処理と、タグ装置用ディスプレイ１２の表示を変更する処理とが、リーダ・ライタ装置３０から送信されたデータに応じて実行される。
【０１８０】
応答処理では、まず受信したデータの解析を行い（Ｓ１００）、受信したデータが送信要求コマンドであるか否かが判定される（Ｓ１０１）。受信したデータが送信要求コマンドであれば（Ｓ１０１：Ｙｅｓ）、タグ装置用タグデータメモリ１８ａに記憶されたタグデータをリーダ・ライタ装置３０へ送信する（Ｓ１０２）。受信したデータが書込コマンドであれば（Ｓ１０１：Ｎｏ、Ｓ１０３：Ｙｅｓ）、受信したタグデータをタグ装置用タグデータメモリ１８ａに記憶し、タグ装置用タグデータメモリ１８ａ内のテンプレートメモリ１８ａ１に記憶されたテンプレートおよび文字列メモリ１８ａ２に記憶された文字列をタグ装置用ディスプレイ１２に表示する（Ｓ１０４）。
【０１８１】
また、受信したデータが変更コマンドであれば（Ｓ１０１：Ｎｏ、Ｓ１０３：Ｎｏ）、無線タグ装置１０でテンプレートまたは文字列の一部を変更することをリーダ・ライタ装置３０が指示していることを示しているので、無線タグ装置１０のタグ装置用ＣＰＵ１５は、受信したタグデータに基づいて、タグ装置用タグデータメモリ１８ａ内のテンプレートメモリ１８ａ１に記憶されたテンプレートまたは文字列メモリ１８ａ２に記憶された文字列の一部を変更し、その変更したテンプレートまたは文字列をタグ装置用ディスプレイ１２に表示する（Ｓ１０５）。なお、受信したタグデータのうち、初めてフラグおよびＩＤデータは、Ｓ１０６の処理において、タグ装置用タグデータメモリ１８ａ内の初めてフラグメモリ１８ａ３およびＩＤデータメモリ１８ａ４にそれぞれ記憶される。
【０１８２】
Ｓ１０２の処理が終了した場合、Ｓ１０４の処理が終了した場合またはＳ１０５の処理が終了した場合には、リーダ・ライタ装置３０から送信されるデータを受信する受信機能のみが起動され、その他の機能は起動しない状態である受信スタンバイ状態に設定し（Ｓ１０６）、この応答処理を終了する。
【０１８３】
この応答処理により、無線タグ装置１０は、タグ装置用タグデータメモリ１８ａに記憶されたタグデータをリーダ・ライタ装置３０に送信することができる。また、無線タグ装置１０は、受信したタグデータをタグ装置用タグデータメモリ１８ａに記憶し、タグ装置用タグデータメモリ１８ａに記憶されたテンプレートおよび文字列をタグ装置用ディスプレイ１２に表示することができる。更に、無線タグ装置１０は、受信したタグデータに基づいて、タグ装置用タグデータメモリ１８ａ内のテンプレートメモリ１８ａ１に記憶されたテンプレートまたは文字列メモリ１８ａ２に記憶された文字列の一部を変更し、その変更したテンプレートまたは文字列をタグ装置用ディスプレイ１２に表示することができる。
【０１８４】
以上、説明したように、本実施形態のタグ無線通信システム９０によれば、無線タグ装置１０のタグ装置用ディスプレイ１２に表示される文字列の一部だけに変更が必要になった場合には、リーダ・ライタ装置３０は、変更入力編集処理において、Ｓ４３の処理で変更する文字列（変更前の文字列）を入力するか、Ｓ４５またはＳ５０の処理で変更する場所をテンプレートから指定するか、若しくはＳ４９ａの処理で変更する場所に該当する文字列を指定するかを実行し、その後、Ｓ４３の処理またはＳ５５の処理で入力された変更後の文字列、若しくはＳ４６の処理またはＳ５１の処理でテンプレートの指定された場所へ設定される変更後の文字列を操作者に入力させ、その入力された変更後の文字列を変更入力編集データメモリ４８ｃ内の文字列メモリ４８ａ２に記憶する。そして、リーダ・ライタ装置３０は、ラベル書込変更処理で、変更入力編集データメモリ４８ｃに記憶されたデータを、変更対象の無線タグ装置１０に送信する。これにより、変更対象の無線タグ装置１０は、タグ装置用ディスプレイ１２に表示される文字列の一部だけを変更することができる。よって、無線タグ装置１０のタグ装置用ディスプレイ１２に表示される文字列の一部だけに変更が必要になったときに、文字列の一部だけを変更することができず、無線タグ装置１０のタグ装置用ディスプレイ１２に表示される文字列の全てを書き換える場合と比較して、タグ装置用ディスプレイ１２に表示される文字列の変更に費やす時間を低減することができる。
【０１８５】
また、ラベル書込変更処理のＳ８５の処理で、終了が選択されていなければ（Ｓ８５：Ｎｏ）、Ｓ７１の処理に戻り、終了が選択されるまで、Ｓ７１〜Ｓ８５の処理が繰り返し実行される。このＳ７１〜Ｓ８５の処理が繰り返し実行されている場合には、即ち、終了が選択されない場合には（Ｓ８５：Ｎｏ）、変更対象となる各無線タグ装置１０にリーダ・ライタ装置３０を順次近づけることにより、変更対象の各無線タグ装置１０のそれぞれにタグデータを送信することができる。よって、変更対象となる各無線タグ装置１０が複数ある場合でも、その各無線タグ装置１０にリーダ・ライタ装置３０を順次近づけるだけで、各無線タグ装置１０のタグ装置用データメモリ１８ａに記憶された文字列が順次変更され、各無線タグ装置１０のタグ装置用ディスプレイ１２に表示される文字列の一部を簡単に変更することができる。
【０１８６】
次に、図１２を参照して、第２実施形態について説明する。図１２は、第２実施形態のリーダ・ライタ装置３０のＣＰＵ４６により実行される送信処理を示したフローチャートである。この送信処理は、リーダ・ライタ装置３０のラベル書込変更処理のＳ８２の処理で実行される。
【０１８７】
この第２実施形態のリーダ・ライタ装置３０で実行される送信処理は、変更入力編集データメモリ４８ｃに記憶されたデータを送信する第１実施形態のリーダ・ライタ装置３０の送信処理と異なり、変更対象の無線タグ装置１０からタグデータを取得し、そのタグデータの一部を変更入力編集データメモリ４８ｃに記憶されたデータに基づいて変更する。そして、変更入力編集データメモリ４８ｃに記憶されたデータの一部の変更が全て正常に行われた場合には、一部を変更したデータを変更対象の無線タグ装置１０へ送信する。よって、変更対象の無線タグ装置１０のタグ装置用ディスプレイ１２に表示される文字列の一部だけを変更する場合には、変更対象の無線タグ装置１０は、リーダ・ライタ装置３０から送信されたデータを変更等することなく、そのままタグ装置用タグデータメモリ１８ａに記憶すれば良い。従って、第２実施形態のリーダ・ライタ装置３０で実行される送信処理によれば、無線タグ装置１０により実行される処理を簡略化することができる。なお、第２実施形態のリーダ・ライタ装置３０で実行される送信処理の説明においては、その第１実施形態と同一の処理には、同一の符号を付して、その説明は省略する。
【０１８８】
第２実施形態のリーダ・ライタ装置３０で実行される送信処理では、まずＳ７１（ラベル書込変更処理）で選択されたのが「変更」であれば（Ｓ９０：Ｙｅｓ）、変更対象の無線タグ装置１０からタグデータを取得する（Ｓ１１０）。なお、取得されたタグデータは受信データメモリ４８ａに記憶される。次に、変更入力編集データメモリ４８ｃに記憶されたデータに基づいて、受信データメモリ４８ａ内のテンプレートメモリ４８ａ１および文字列メモリ４８ａ３に記憶されたテンプレートおよび文字列の一部を変更する（Ｓ１１１）。なお、Ｓ１１１の処理においては、更に、変更入力編集データメモリ４８ｃ内の初めてフラグメモリ４８ｃ３に記憶された初めてフラグおよびＩＤデータメモリ４８ｃ４に記憶されたＩＤデータは、受信データメモリ４８ａ内の初めてフラグメモリ４８ａ３およびＩＤデータメモリ４８ａ４にそれぞれ転送される。
【０１８９】
次に、受信データメモリ４８ａに記憶されたデータは正常に変更できたか否かが判定される（Ｓ１１２）。受信データメモリ４８ａに記憶されたデータが正常に変更できた場合には（Ｓ１１２：Ｙｅｓ）、受信データメモリ４８ａに記憶されたデータを送信して（Ｓ１１３）、Ｓ９５の処理に移行する。一方、受信データメモリ４８ａに記憶されたデータが正常に変更できなかった場合には（Ｓ１１２：Ｎｏ）、ディスプレイ３２にエラー表示を行い、この送信処理を終了する。
【０１９０】
この第２実施形態のリーダ・ライタ装置３０で実行される送信処理によれば、リーダ・ライタ装置３０は、変更対象の無線タグ装置１０からタグデータを取得し、受信データメモリ４８ａに記憶する。次に、リーダ・ライタ装置３０は、変更入力編集データメモリ４８ｃに記憶されたデータに基づいて、受信データメモリ４８ａ内のテンプレートメモリ４８ａ１に記憶されたテンプレートまたは文字列メモリ４８ａ３に記憶された文字列の一部を変更する。そして、リーダ・ライタ装置３０は、受信データメモリ４８ａに記憶されたデータが正常に変更できた場合には、受信データメモリ４８ａに記憶されたデータを送信する。この受信データメモリ４８ａに記憶されたデータが、変更対象の無線タグ装置１０のタグ装置用タグデータメモリ１８ａに記憶されると、変更対象の無線タグ装置１０のタグ装置用ディスプレイ１２に表示される文字列の一部だけを見かけ上変更することができる。よって、リーダ・ライタ装置３０から送信されたデータに基づいて、変更対象の無線タグ装置１０がタグ装置用タグデータメモリ１８ａに記憶されたタグデータを一部変更する場合と比較して、変更対象の無線タグ装置１０により実行される処理を簡略化することができる。
【０１９１】
以上、各実施形態に基づき本発明を説明したが、本発明は上記形態に何ら限定されるものではなく、本発明の趣旨を逸脱しない範囲内で種々の変形改良が可能であることは容易に推察できるものである。
【０１９２】
例えば、上記実施形態では、リーダ・ライタ装置３０は専用機器を用いて実現したが、リーダ・ライタ装置３０はパーソナルコンピュータを用いて実現しても良い。
【０１９３】
また、上記実施形態では、無線タグ装置１０のタグ装置用ディスプレイ１２は電気詠動式を採用したが、タグ装置用ディスプレイ１２は、バッテリを内蔵しない表示媒体であり、表示内容を消去して何回でも書き換えることができ、更には、表示された内容を長時間にわたり維持できる電子ペーパー等の不揮発性の表示装置であっても良い。
【０１９４】
また、上記各実施の形態では、無線タグ装置１０をバインダー２に装着しているが、無線タグ装置１０は、本棚１００に装着されていても良い。
【０１９５】
また、ラベル書込変更処理の送信処理（Ｓ８２）を実行する前に、送信対象の無線タグ装置１０とリーダ・ライタ装置３０とで無線通信を行い、無線通信を行った無線タグ装置１０が正しい送信対象の無線タグ装置１０か否かを確認する処理を実行しても良い。この確認の処理は、以下の様に行う。例えば、予め設定されたＩＤデータをリーダ・ライタ装置３０のフラッシュメモリ４９内と無線タグ装置１０のタグ装置用フラッシュメモリ１８内とに記憶させておく。そして、送信対象の無線タグ装置１０とリーダ・ライタ装置３０とで通信を行い、フラッシュメモリ４９内に記憶されたＩＤデータが、タグ装置用フラッシュメモリ１８内に記憶されたＩＤデータと一致するか否かで確認すれば良い。このように構成すれば、ラベル書込変更処理の送信処理（Ｓ８２）を実行する前に、これからタグデータを送信しようとする無線タグ装置１０が送信対象である場合には、送信処理（Ｓ８２）に移行する一方、これからタグデータを送信しようとする無線タグ装置１０が送信対象でない場合には、送信処理（Ｓ８２）の前に、この無線タグ装置１０は送信対象でないことを操作者に報知することができる。
【０１９６】
また、本実施形態のリーダ・ライタ装置３０は、入力編集処理（図６参照）のＳ２０の処理に示されるように、「手動入力モード」、「タグ読込モード」、「リーダ・ライタ装置３０の内部メモリデータ読込モード」および「外部記憶装置６０の内部データ読込モード」の４つの入力モードを搭載していた。しかし、これに限定されるものではなく、Ｓ２０の処理で表示した４つの入力モードのうち、例えば、１の入力モードのみ（例えば、「手動入力モード」のみ）や、２の入力モード（例えば、「タグ読込モード」および「外部記憶装置６０の内部データ読込モード」）をリーダ・ライタ装置３０が搭載していても良い。
【０１９７】
同様に、本実施形態のリーダ・ライタ装置３０は、変更入力編集処理（図７参照）のＳ４０の処理に示されるように、「手動変更モードの文字列入力モード」、「手動変更モードのテンプレート場所指定モード」、「タグ読込変更モードの文字列指定モード」、「タグ読込変更モードのテンプレート場所指定モード」、「リーダ・ライタ装置３０の内部メモリデータ読込変更モードの文字列指定モード」、「リーダ・ライタ装置３０の内部メモリデータ読込変更モードのテンプレート場所指定モード」、「外部記憶装置６０の内部データ読込変更モードの文字列指定モード」および「外部記憶装置６０の内部データ読込変更モードのテンプレート場所指定モード」の８つの変更モードを搭載していた。しかし、これに限定されるものではなく、Ｓ４０の処理で表示した８つの変更モードのうち、例えば、１の変更モードのみ（例えば、「手動変更モードの文字列入力モード」のみ）や、２の変更モード（例えば、「タグ読込変更モードの文字列指定モード」および「タグ読込変更モードのテンプレート場所指定モード」）をリーダ・ライタ装置３０が搭載していても良い。
【０１９８】
また、本実施形態においては、リーダ・ライタ装置３０が時計３９を有し、その時計３９から現在の日時を取得する構成として説明したが、現在の日時は他の端末装置から取得するようにしても良い。この場合には、例えば、リーダ・ライタ装置３０に受信機を設け、その受信機を用いて、リーダ・ライタ装置３０が、必要なタイミングで送信局から日時の情報を受信して、その受信した日時の情報を現在の日時とすれば良い。
【図面の簡単な説明】
【０１９９】
【図１】タグ無線通信システムの構成を示した概略図である。
【図２】（ａ）は無線タグ装置のハードウェア構成図であり、（ｂ）はリーダ・ライタ装置のハードウェア構成図であり、（ｃ）は外部記憶装置のハードウェア構成図である。
【図３】機能選択処理を示したフローチャートである。
【図４】機能カウンタに記憶される値と対応する機能処理を示した図である。
【図５】ラベルＩＤ操作処理を示したフローチャートである。
【図６】入力編集処理を示したフローチャートである。
【図７】変更入力編集処理を示したフローチャートである。
【図８】ラベル書込変更処理を示したフローチャートである。
【図９】送信処理を示したフローチャートである。
【図１０】応答処理を示したフローチャートである。
【図１１】（ａ）および（ｂ）は、リーダ・ライタ装置のディスプレイの表示を図示した図であり、（ｃ）および（ｄ）は、無線タグ装置のタグ装置用ディスプレイの表示を図示した図である。
【図１２】第２実施形態の送信処理を示したフローチャートである。
【符号の説明】
【０２００】
１０      無線タグ装置（タグ装置）
１２      タグ装置用ディスプレイ（タグ側表示手段）
１４      タグ装置用送受信機（タグ用受信手段、第２タグ用受信手段）
１８ａ    タグ装置用タグデータメモリ（タグ用記憶手段）
３０      リーダ・ライタ装置（通信装置）
３２      ディスプレイ（通信側表示手段）
３９      時計（日時取得手段）
５２      網掛け領域（強調表示手段）
６０      外部記憶装置（外部装置）
９０      タグ無線通信システム（情報通信システム）
Ｓ１２    ラベルＩＤ操作処理（ライトプロテクト設定手段）
Ｓ４３    変更入力編集処理（指定情報受付手段の一部、変更表示情報受付手段の一部）
Ｓ４５    変更入力編集処理（指定情報受付手段の一部）
Ｓ４６    変更入力編集処理（変更表示情報受付手段の一部）
Ｓ４９ａ  変更入力編集処理（指定情報受付手段の一部、表示情報選択手段）
Ｓ５０    変更入力編集処理（指定情報受付手段の一部、配置位置選択手段）
Ｓ５１    変更入力編集処理（変更表示情報受付手段の一部）
Ｓ５４    変更入力編集処理（テンプレート取得手段、第２表示情報取得手段）
Ｓ５５    変更入力編集処理（変更表示情報受付手段の一部）
Ｓ５９    変更入力編集処理（識別情報受付手段の一部）
Ｓ６１    変更入力編集処理（識別情報受付手段の一部）
Ｓ６２    変更入力編集処理（識別情報受付手段の一部）
Ｓ６３    変更入力編集処理（日時表示領域判定手段）
Ｓ６４    変更入力編集処理（日時設定手段）
Ｓ７４    ラベル書込変更処理（識別情報受信手段の一部）
Ｓ７８    ラベル書込変更処理（送信許可手段）
Ｓ９２    送信処理（テンプレート識別情報取得手段の一部、第１表示情報取得手段の一部）
Ｓ９４    送信処理（第１送信手段の一部）
Ｓ１０４  応答処理（第２タグ用制御手段）
Ｓ１０５  応答処理（タグ用変更手段、タグ用制御手段）
Ｓ１１０  送信処理（テンプレート識別情報取得処理の一部、第１表示情報取得手段の一部）
Ｓ１１１  送信処理（変更手段）
Ｓ１１３  送信処理（第２送信手段の一部）
【図１】
2009025966.tif 000003
【図２】
2009025966.tif 000004
【図３】
2009025966.tif 000005
【図４】
2009025966.tif 000006
【図５】
2009025966.tif 000007
【図６】
2009025966.tif 000008
【図７】
2009025966.tif 000009
【図８】
2009025966.tif 000010
【図９】
2009025966.tif 000011
【図１０】
2009025966.tif 000012
【図１１】
2009025966.tif 000013
【図１２】
2009025966.tif 000014